(57)【要約】ＣＤ−ＤＡにより規定された音楽情報のみが記録されているＣＤ、又はＣＤ−ＤＡにより規定された音楽情報及びＣＤ−ＲＯＭとしての音楽情報が記録されているＣＤのいずれかが、情報処理端末装置１０に装着される。ＣＤ−ＤＡにより規定された音楽情報のみが記録されているＣＤが装着された場合に、情報処理端末装置１０は、ディレクトリサーバ装置２０から、前記ＣＤに記録されている音楽情報を示すＩＳＲＣ番号、及びコンテンツ配信サーバ装置を示す配信サーバ位置情報を取得する。次に、取得した配信サーバ位置情報により示されるコンテンツ配信サーバ装置から、前記音楽情報をＭＰ３により圧縮、暗号化したコンテンツ及び復号化鍵を取得する。次に、取得した復号化鍵を用いて、取得したコンテンツを復号して、音楽を再生する。
2004522199.tif 000002
【特許請求の範囲】
【請求項１】
記録媒体に固有の固有情報と、著作物を第１形式により表現した第１情報とを記録している当該記録媒体を用いて、前記著作物を第２形式により表現した第２情報を得る情報処理装置であって、
前記第１情報の前記第２情報への変換、及び配信網を介して接続されているコンテンツ配信装置からの前記第２情報の取得のいずれか一方を選択する選択手段と、
前記変換が選択された場合に、前記記録媒体から前記第１情報を読み出す第１読出手段と、
読み出した前記第１情報に前記第１形式から前記第２形式への変換を施して前記第２情報を生成する変換手段と、
前記取得が選択された場合に、前記記録媒体から前記固有情報を読み出す第２読出手段と、
前記固有情報と前記第２情報とを対応付けて記憶している前記コンテンツ配信装置から、読み出した前記固有情報に対応する前記第２情報を取得する取得手段と
を含むことを特徴とする情報処理装置。
【請求項２】
前記選択手段は、利用者の指示により、前記変換、及び前記取得のいずれか一方を選択する
ことを特徴とする請求項１に記載の情報処理装置。
【請求項３】
前記選択手段は、前記変換手段による処理に要する第１所要時間と、前記取得手段による処理に要する第２所要時間とに基づいて、前記変換、及び前記取得のいずれか一方を選択する
ことを特徴とする請求項１に記載の情報処理装置。
【請求項４】
前記選択手段は、前記第１所要時間と、前記第２所要時間とのうち、短い方に相当するものを選択する
ことを特徴とする請求項３に記載の情報処理装置。
【請求項５】
前記記録媒体に記録されている固有情報は、当該記録媒体において前記第１情報が記録されている領域の位置を示す領域位置情報と、前記第１情報が再生される場合における再生時間と含むＴＯＣ情報である
ことを特徴とする請求項４に記載の情報処理装置。
【請求項６】
前記取得手段は、
読み出した前記固有情報に基づいて、前記第２情報を識別する識別情報と、前記配信網において前記コンテンツ配信装置が接続されている位置を示す位置情報とを、前記配信網に接続されているディレクトリ配信装置から取得する第１取得手段と、
前記取得した位置情報により位置が示される前記コンテンツ配信装置から、取得した前記識別情報により識別される前記第２情報を取得する第２取得手段と
を含むことを特徴とする請求項１に記載の情報処理装置。
【請求項７】
著作物を第１形式により表現した第１情報と、前記著作物を第２形式により表現した第２情報とを記録している記録媒体。
【請求項８】
著作物を第１形式により表現した第１情報を記録している記録媒体に固有の固有情報と、前記著作物を第２形式により表現した第２情報を識別する識別情報と、配信網においてコンテンツ配信装置が接続されている位置を示す位置情報とを対応づけて記憶している記憶手段と、
前記配信網を介して情報処理装置から、前記固有情報を受信する受信手段と、
前記記憶手段から受信した前記固有情報に対応する前記識別情報と前記位置情報とを抽出する抽出手段と、
抽出した前記識別情報と前記位置情報とを前記情報処理装置へ送信する送信手段と
を備えることを特徴とするディレクトリ配信装置。
【請求項９】
前記記憶手段は、
前記記録媒体を識別する媒体識別子と、前記固有情報であるＴＯＣ情報とを対応付けて記憶している媒体ＩＤテーブルと、
前記媒体識別子と、前記位置情報とを対応付けて記憶している配信装置テーブルと、
前記識別情報であるＩＳＲＣ番号と、前記媒体識別子とを対応付けて記憶しているＩＳＲＣテーブルとを含み、
前記受信手段は、前記固有情報としてＴＯＣ情報を受信し、
前記抽出手段は、前記固有情報としてＴＯＣ情報に対応する媒体識別子を前記媒体ＩＤテーブルから取得し、取得した媒体識別子に対応する位置情報を前記配信装置テーブルから取得し、取得した媒体識別子に対応するＩＳＲＣ番号をＩＳＲＣテーブルから取得し、
前記送信手段は、前記識別情報としてのＩＳＲＣ番号と、前記位置情報とを送信する
ことを特徴とする請求項８に記載のディレクトリ配信装置。
【請求項１０】
記録媒体に固有の固有情報と、著作物を第１形式により表現した第１情報とを記録している当該記録媒体を用いて、前記著作物を第２形式により表現した第２情報を取得する情報処理装置へ、前記第２情報を送信するコンテンツ配信装置であって、
前記第２情報と、前記第２情報を識別する識別情報と対応付けてを記憶している記憶手段と、
前記情報処理装置から配信網を介して、前記第２情報を識別する識別情報を受信する受信手段と、
前記記憶手段から、受信した前記識別情報により識別される前記第２情報を抽出する抽出手段と、
抽出した前記第２情報を前記情報処理装置へ送信する送信手段と
を備えることを特徴とするコンテンツ配信装置。
【請求項１１】
前記記憶手段に記憶されている第２情報は、前記著作物をデジタル化し、さらに暗号化して生成された暗号化著作物と、前記暗号化著作物を復号するための復号化鍵とを含み、
前記抽出手段は、前記暗号化著作物と、前記復号化鍵とを抽出し、
前記送信手段は、前記暗号化著作物と、前記復号化鍵とを送信する
ことを特徴とする請求項１０に記載のコンテンツ配信装置。
【請求項１２】
前記記憶手段は、前記第２情報として、ＩＳＲＣ番号を記憶しており、
前記受信手段は、前記第２情報として、ＩＳＲＣ番号を受信し、
前記抽出手段は、受信したＩＳＲＣ番号により識別される前記第２情報を抽出する
ことを特徴とする請求項１２に記載のコンテンツ配信装置。
【請求項１３】
前記受信手段は、さらに、前記情報処理装置から、前記情報処理装置を識別する情報処理装置識別子と、前記情報処理装置を利用する利用者に関する利用者情報とを受信し、
前記コンテンツ配信装置は、さらに、受信した前記情報処理装置識別子と前記利用者情報とを対応付けて記憶する記録手段を含む
ことを特徴とする請求項１１に記載のコンテンツ配信装置。
【請求項１４】
前記受信手段は、さらに、前記情報処理装置から、前記情報処理装置を識別する情報処理装置識別子と、ディレクトリ配信装置を識別する配信装置識別子とを受信し、
前記コンテンツ配信装置は、さらに、受信した前記情報処理装置識別子と配信装置識別子と前記識別情報とを対応付けて記憶する記録手段を含む
ことを特徴とする請求項１１に記載のコンテンツ配信装置。
【請求項１５】
記録媒体に固有の固有情報と、著作物を第１形式により表現した第１情報とを記録している当該記録媒体を用いて、前記著作物を第２形式により表現した第２情報を取得した情報処理装置へ、前記第２情報に関連する付加情報を送信する付加情報配信装置であって、
前記付加情報と、前記第２情報を識別する識別情報と対応付けてを記憶している記憶手段と、
前記情報処理装置から配信網を介して、前記第２情報を識別する識別情報を受信する受信手段と、
前記記憶手段から、受信した前記識別情報により識別される前記付加情報を抽出する抽出手段と、
抽出した前記付加情報を前記情報処理装置へ送信する送信手段と
を備えることを特徴とする付加情報配信装置。
【請求項１６】
前記記憶手段は、前記第２情報として、ＩＳＲＣ番号を記憶しており、
前記受信手段は、前記第２情報として、ＩＳＲＣ番号を受信し、
前記抽出手段は、受信したＩＳＲＣ番号により識別される前記付加情報を抽出する
ことを特徴とする請求項１５に記載の付加情報配信装置。
【請求項１７】
前記受信手段は、さらに、前記情報処理装置から、前記情報処理装置を識別する情報処理装置識別子と、前記情報処理装置を利用する利用者に関する利用者情報とを受信し、
前記付加情報配信装置は、さらに、受信した前記情報処理装置識別子と前記利用者情報とを対応付けて記憶する記録手段を含む
ことを特徴とする請求項１５に記載の付加情報配信装置。
【請求項１８】
前記受信手段は、さらに、前記情報処理装置から、前記情報処理装置を識別する情報処理装置識別子と、コンテンツ配信装置を識別する配信装置識別子とを受信し、
前記付加情報配信装置は、さらに、受信した前記情報処理装置識別子と配信装置識別子と前記識別情報とを対応付けて記憶する記録手段を含む
ことを特徴とする請求項１５に記載の付加情報配信装置。
【請求項１９】
請求項１に記載の情報処理装置と、
請求項８に記載のディレクトリ配信装置と、
請求項１０に記載のコンテンツ配信装置と、
請求項１５に記載の付加情報配信装置と
を備えることを特徴とするデジタルデータ配信システム。
【請求項２０】
記録媒体に固有の固有情報と、著作物を第１形式により表現した第１情報とを記録している当該記録媒体を用いて、前記著作物を第２形式により表現した第２情報を得る情報処理装置で用いられる情報処理方法であって、
前記第１情報の前記第２情報への変換、及び配信網を介して接続されているコンテンツ配信装置からの前記第２情報の取得のいずれか一方を選択する選択ステップと、
前記変換が選択された場合に、前記記録媒体から前記第１情報を読み出す第１読出ステップと、
読み出した前記第１情報に前記第１形式から前記第２形式への変換を施して前記第２情報を生成する変換ステップと、
前記取得が選択された場合に、前記記録媒体から前記固有情報を読み出す第２読出ステップと、
前記固有情報と前記第２情報とを対応付けて記憶している前記コンテンツ配信装置から、読み出した前記固有情報に対応する前記第２情報を取得する取得ステップと
を含むことを特徴とする情報処理方法。
【請求項２１】
記録媒体に固有の固有情報と、著作物を第１形式により表現した第１情報とを記録している当該記録媒体を用いて、前記著作物を第２形式により表現した第２情報を得るコンピュータで用いられる情報処理プログラムであって、
前記第１情報の前記第２情報への変換、及び配信網を介して接続されているコンテンツ配信装置からの前記第２情報の取得のいずれか一方を選択する選択ステップと、
前記変換が選択された場合に、前記記録媒体から前記第１情報を読み出す第１読出ステップと、
読み出した前記第１情報に前記第１形式から前記第２形式への変換を施して前記第２情報を生成する変換ステップと、
前記取得が選択された場合に、前記記録媒体から前記固有情報を読み出す第２読出ステップと、
前記固有情報と前記第２情報とを対応付けて記憶している前記コンテンツ配信装置から、読み出した前記固有情報に対応する前記第２情報を取得する取得ステップと
を含むことを特徴とする情報処理プログラム。
【請求項２２】
記録媒体に固有の固有情報と、著作物を第１形式により表現した第１情報とを記録している当該記録媒体を用いて、前記著作物を第２形式により表現した第２情報を得るコンピュータで用いられる情報処理プログラムを記録しているコンピュータ読み取り可能な記録媒体であって、
前記プログラムは、
前記第１情報の前記第２情報への変換、及び配信網を介して接続されているコンテンツ配信装置からの前記第２情報の取得のいずれか一方を選択する選択ステップと、
前記変換が選択された場合に、前記記録媒体から前記第１情報を読み出す第１読出ステップと、
読み出した前記第１情報に前記第１形式から前記第２形式への変換を施して前記第２情報を生成する変換ステップと、
前記取得が選択された場合に、前記記録媒体から前記固有情報を読み出す第２読出ステップと、
前記固有情報と前記第２情報とを対応付けて記憶している前記コンテンツ配信装置から、読み出した前記固有情報に対応する前記第２情報を取得する取得ステップとを含む
ことを特徴とする記録媒体。
【請求項２３】
著作物を第１形式により表現した第１情報を記録している記録媒体に固有の固有情報と、前記著作物を第２形式により表現した第２情報を識別する識別情報と、配信網においてコンテンツ配信装置が接続されている位置を示す位置情報とを対応づけて記憶している記憶手段を備えるディレクトリ配信装置で用いられる配信方法であって、
前記配信網を介して情報処理装置から、前記固有情報を受信する受信ステップと、
前記記憶手段から受信した前記固有情報に対応する前記識別情報と前記位置情報とを抽出する抽出ステップと、
抽出した前記識別情報と前記位置情報とを前記情報処理装置へ送信する送信ステップと
を含むことを特徴とする配信方法。
【請求項２４】
著作物を第１形式により表現した第１情報を記録している記録媒体に固有の固有情報と、前記著作物を第２形式により表現した第２情報を識別する識別情報と、配信網においてコンテンツ配信装置が接続されている位置を示す位置情報とを対応づけて記憶している記憶手段を備えるコンピュータで用いられる配信プログラムであって、
前記配信網を介して情報処理装置から、前記固有情報を受信する受信ステップと、
前記記憶手段から受信した前記固有情報に対応する前記識別情報と前記位置情報とを抽出する抽出ステップと、
抽出した前記識別情報と前記位置情報とを前記情報処理装置へ送信する送信ステップと
を含むことを特徴とする配信プログラム。
【請求項２５】
著作物を第１形式により表現した第１情報を記録している記録媒体に固有の固有情報と、前記著作物を第２形式により表現した第２情報を識別する識別情報と、配信網においてコンテンツ配信装置が接続されている位置を示す位置情報とを対応づけて記憶している記憶手段を備えるコンピュータで用いられる配信プログラムを記録しているコンピュータ読み取り可能な記録媒体であって、
前記プログラムは、
前記配信網を介して情報処理装置から、前記固有情報を受信する受信ステップと、
前記記憶手段から受信した前記固有情報に対応する前記識別情報と前記位置情報とを抽出する抽出ステップと、
抽出した前記識別情報と前記位置情報とを前記情報処理装置へ送信する送信ステップと
を含むことを特徴とする記録媒体。
【請求項２６】
記録媒体に固有の固有情報と、著作物を第１形式により表現した第１情報とを記録している当該記録媒体を用いて、前記著作物を第２形式により表現した第２情報を取得する情報処理装置へ、前記第２情報を送信するコンテンツ配信装置でで用いられるコンテンツ配信方法であって、
前記コンテンツ配信装置は、前記第２情報と、前記第２情報を識別する識別情報と対応付けてを記憶している記憶手段を備え、
前記コンテンツ配信方法は、
前記情報処理装置から配信網を介して、前記第２情報を識別する識別情報を受信する受信ステップと、
前記記憶手段から、受信した前記識別情報により識別される前記第２情報を抽出する抽出ステップと、
抽出した前記第２情報を前記情報処理装置へ送信する送信ステップと
を含むことを特徴とするコンテンツ配信方法。
【請求項２７】
記録媒体に固有の固有情報と、著作物を第１形式により表現した第１情報とを記録している当該記録媒体を用いて、前記著作物を第２形式により表現した第２情報を取得する情報処理装置へ、前記第２情報を送信するコンピュータで用いられるコンテンツ配信プログラムであって、
前記コンピュータは、前記第２情報と、前記第２情報を識別する識別情報と対応付けてを記憶している記憶手段を備え、
前記コンテンツ配信プログラムは、
前記情報処理装置から配信網を介して、前記第２情報を識別する識別情報を受信する受信ステップと、
前記記憶手段から、受信した前記識別情報により識別される前記第２情報を抽出する抽出ステップと、
抽出した前記第２情報を前記情報処理装置へ送信する送信ステップと
を含むことを特徴とするコンテンツ配信プログラム。
【請求項２８】
記録媒体に固有の固有情報と、著作物を第１形式により表現した第１情報とを記録している当該記録媒体を用いて、前記著作物を第２形式により表現した第２情報を取得する情報処理装置へ、前記第２情報を送信するコンピュータで用いられるコンテンツ配信プログラムを記録しているコンピュータ読み取り可能な記録媒体であって、
前記コンピュータは、前記第２情報と、前記第２情報を識別する識別情報と対応付けてを記憶している記憶手段を備え、
前記コンテンツ配信プログラムは、
前記情報処理装置から配信網を介して、前記第２情報を識別する識別情報を受信する受信ステップと、
前記記憶手段から、受信した前記識別情報により識別される前記第２情報を抽出する抽出ステップと、
抽出した前記第２情報を前記情報処理装置へ送信する送信ステップと
を含むことを特徴とする記録媒体。
【請求項２９】
記録媒体に固有の固有情報と、著作物を第１形式により表現した第１情報とを記録している当該記録媒体を用いて、前記著作物を第２形式により表現した第２情報を取得した情報処理装置へ、前記第２情報に関連する付加情報を送信する付加情報配信装置で用いられる付加情報配信方法であって、
前記付加情報配信装置は、前記付加情報と、前記第２情報を識別する識別情報と対応付けてを記憶している記憶手段を備え、
前記付加情報配信方法は、
前記情報処理装置から配信網を介して、前記第２情報を識別する識別情報を受信する受信ステップと、
前記記憶手段から、受信した前記識別情報により識別される前記付加情報を抽出する抽出ステップと、
抽出した前記付加情報を前記情報処理装置へ送信する送信ステップと
を含むことを特徴とする付加情報配信方法。
【請求項３０】
記録媒体に固有の固有情報と、著作物を第１形式により表現した第１情報とを記録している当該記録媒体を用いて、前記著作物を第２形式により表現した第２情報を取得した情報処理装置へ、前記第２情報に関連する付加情報を送信するコンピュータで用いられる付加情報配信プログラムであって、
前記コンピュータは、前記付加情報と、前記第２情報を識別する識別情報と対応付けてを記憶している記憶手段を備え、
前記付加情報配信プログラムは、
前記情報処理装置から配信網を介して、前記第２情報を識別する識別情報を受信する受信ステップと、
前記記憶手段から、受信した前記識別情報により識別される前記付加情報を抽出する抽出ステップと、
抽出した前記付加情報を前記情報処理装置へ送信する送信ステップと
を含むことを特徴とする付加情報配信プログラム。
【請求項３１】
記録媒体に固有の固有情報と、著作物を第１形式により表現した第１情報とを記録している当該記録媒体を用いて、前記著作物を第２形式により表現した第２情報を取得した情報処理装置へ、前記第２情報に関連する付加情報を送信するコンピュータで用いられる付加情報配信プログラムを記録している記録媒体であって、
前記コンピュータは、前記付加情報と、前記第２情報を識別する識別情報と対応付けてを記憶している記憶手段を備え、
前記付加情報配信プログラムは、
前記情報処理装置から配信網を介して、前記第２情報を識別する識別情報を受信する受信ステップと、
前記記憶手段から、受信した前記識別情報により識別される前記付加情報を抽出する抽出ステップと、
抽出した前記付加情報を前記情報処理装置へ送信する送信ステップと
を含むことを特徴とする記録媒体。
【発明の詳細な説明】
（技術分野）
本発明は、デジタルデータをネットワークを介して配信するデジタルデータ配信技術に関する。
（背景技術）
近年、インターネット上で公開されたデジタルの音楽情報をパソコン（Ｐｅｒｓｏｎａｌ Ｃｏｍｐｕｔｅｒ、以下、ＰＣと呼ぶ。）へダウンロードし、ＰＣ上のコンピュータプログラムにより前記音楽情報を再生する、いわゆる電子音楽配信（Ｅ１ｅｃｔｒｏｎｉｃ Ｍｕｓｉｃ Ｄｉｓｔｒｉｂｕｔｉｏｎ、以下、ＥＭＤと呼ぶ。）が脚光を浴びている。
【０００１】
また、米国特許番号（ＵＳＰＮ）５，９８７，５２５、ＵＳＰＮ６，０６１，６８０、ＵＳＰＮ６，１５４，７７３、ＵＳＰＮ６，１６１，１３２は、音楽の記録を補足する娯楽内容をコンピュータ・ネットワークリンクを使ってユーザーのコンピュータに配達する技術などを開示している。（翻訳用参考： Ｅｎｔｅｒｔａｉｎｍｅｎｔ ｃｏｎｔｅｎｔ ｃｏｍｐｌｅｍｅｎｔａｒｙ ｔｏ ａ ｍｕｓｉｃａｌ ｒｅｃｏｒｄｉｎｇ ｉｓ ｄｅｌｉｖｅｒｅｄ ｔｏ ａ ｕｓｅｒ’ｓ ｃｏｍｐｕｔｅｒ ｂｙ ｍｅａｎｓ ｏｆ ａ ｃｏｍｐｕｔｅｒ ｎｅｔｗｏｒｋ ｌｉｎｋ．）
また、デジタルの音楽情報を高音質かつ高圧縮できるＣｏｄｅｃであるＭＰ３（ＭＰＥＧ１ Ｌａｙｅｒ ３）が登場し、利用者は、ＭＰ３対応のリッピングソフトウェアを用いて、利用者が有する音楽ＣＤにＣｏｍｐａｃｔ Ｄｉｓｃ Ｄｉｇｉｔａｌ Ａｕｄｉｏ（以下、ＣＤ−ＤＡと呼ぶ）方式により記録されている音楽情報を手軽にＰＣ上において圧縮録音し、ＰＣのハードディスクユニットに保存しておくことができる。ここで、前記リッピングソフトウェアは、音楽ＣＤに記録されている音楽情報をＰＣ上で扱うのに適した音楽情報に変換するコンピュータプログラムである。また、ＭＰ３により圧縮された音楽情報を再生するＰｏｒｔａｂｌｅ Ｄｅｖｉｃｅ（以下、ＰＤと呼ぶ）、例えば、ダイアモンドマルチメディアのＲｉｏなど、が登場し、利用者は、ＰＣ用プログラムを使って、ＭＰ３により圧縮された音楽情報をＰＤに書込み、外に持ち出して音楽を再生することができる。
【０００２】
ＭＰ３は、その便利さから、ユーザに受け入れられ、爆発的に普及している。しかしながら、高圧縮である特長は、インターネット上でのデータのやりとりを行うことに最適であるため、ＭＰ３により生成されたデータをＷｅｂ上に著作権者の許可なく掲載するという悪質なＷｅｂサイトが多数現れている。
こうような状況では、ＣＤ販売の売り上げが落ち込み、音楽業界全体が衰退の道をたどることが容易に想像できるため、レコード業界は、インターネット上において著作権保護された音楽データを配信する枠組を規定する団体であるＳＤＭＩ（Ｓｅｃｕｒｅ Ｄｉｇｉｔａｌ Ｍｕｓｉｃ Ｉｎｉｔａｔｉｖｅ）を発足させた。
【０００３】
こうした活動の中で、音楽情報にウオーターマークと呼ばれる電子透かしを埋め込むことにより、正しく著作権保護されたコンテンツか否かを確かめるという手法が採択されている。また、圧縮録音された音楽情報は、不正コピー防止のために暗号化される。
しかしながら、前記リッピングソフトウェアを用いて、ＣＤに記録された音楽情報をＭＰ３やＡＡＣ（Ａｄｖａｎｃｅｄ Ａｕｄｉｏ Ｃｏｄｉｎｇ）などのＣｏｄｅｃ用の音楽情報に変換する場合に、ウォーターマークの検出を同時に行おうとすると、前記変換の効率が落ちるという問題点がある。さらに、暗号化された音楽情報を復号する際にも、前記変換の効率が落ちるという問題点がある。
【０００４】
（発明の開示）
上記の問題点を解決するために、本発明は、ＣＤに記録された著作情報を基にして、効率良くＣｏｄｅｃ用の著作情報に変換することができるデジタルデータ配信システム、情報処理装置、ディレクトリ配信装置、コンテンツ配信装置、付加情報配信装置、これらの配信を行うための方法、プログラム、及び前記プログラムを記録している記録媒体を提供することを目的とする。
【０００５】
上記目的を達成するために本発明は、記録媒体に固有の固有情報と、著作物を第１形式により表現した第１情報とを記録している当該記録媒体を用いて、前記著作物を第２形式により表現した第２情報を得る情報処理装置であって、前記第１情報の前記第２情報への変換、及び配信網を介して接続されているコンテンツ配信装置からの前記第２情報の取得のいずれか一方を選択する選択手段と、前記変換が選択された場合に、前記記録媒体から前記第１情報を読み出す第１読出手段と、読み出した前記第１情報に前記第１形式から前記第２形式への変換を施して前記第２情報を生成する変換手段と、前記取得が選択された場合に、前記記録媒体から前記固有情報を読み出す第２読出手段と、前記固有情報と前記第２情報とを対応付けて記憶している前記コンテンツ配信装置から、読み出した前記固有情報に対応する前記第２情報を取得する取得手段とを含む。
【０００６】
この構成によると、選択された指示に応じて、前記第１情報を前記第２情報に変換するか、又は前記第２情報を配信網を介して接続されているコンテンツ配信装置から取得するので、効率良く第２情報を取得することができる。
ここで、前記取得手段は、読み出した前記固有情報に基づいて、前記第２情報を識別する識別情報と、前記配信網において前記コンテンツ配信装置が接続されている位置を示す位置情報とを、前記配信網に接続されているディレクトリ配信装置から取得する第１取得手段と、前記取得した位置情報により位置が示される前記コンテンツ配信装置から、取得した前記識別情報により識別される前記第２情報を取得する第２取得手段とを含む。
【０００７】
この構成によると、ディレクトリ配信装置からコンテンツ配信装置が接続されている位置を示す位置情報を取得し、さらに前記位置情報により示される前記コンテンツ配信装置から前記第２情報を取得するので、情報処理装置は、ディレクトリ配信装置の位置情報のみを知っているだけで、配信網を介して確実に第２情報を取得できる。
【０００８】
また、本発明は、著作物を第１形式により表現した第１情報を記録している記録媒体に固有の固有情報と、前記著作物を第２形式により表現した第２情報を識別する識別情報と、配信網においてコンテンツ配信装置が接続されている位置を示す位置情報とを対応づけて記憶している記憶手段と、前記配信網を介して情報処理装置から、前記固有情報を受信する受信手段と、前記記憶手段から受信した前記固有情報に対応する前記識別情報と前記位置情報とを抽出する抽出手段と、抽出した前記識別情報と前記位置情報とを前記情報処理装置へ送信する送信手段とを備える。
【０００９】
この構成によると、ディレクトリ配信装置は、情報処理装置に対して、コンテンツ配信装置が接続されている位置を示す位置情報を送信するので、情報処理装置は、ディレクトリ配信装置の位置情報のみを知っているだけで、配信網を介して確実に第２情報を取得できる。
また、本発明は、記録媒体に固有の固有情報と、著作物を第１形式により表現した第１情報とを記録している当該記録媒体を用いて、前記著作物を第２形式により表現した第２情報を取得する情報処理装置へ、前記第２情報を送信するコンテンツ配信装置であって、前記第２情報と、前記第２情報を識別する識別情報と対応付けてを記憶している記憶手段と、前記情報処理装置から配信網を介して、前記第２情報を識別する識別情報を受信する受信手段と、前記記憶手段から、受信した前記識別情報により識別される前記第２情報を抽出する抽出手段と、抽出した前記第２情報を前記情報処理装置へ送信する送信手段とを備える。
【００１０】
この構成によると、コンテンツ配信装置は、配信網を介して、情報処理装置へ前記第２情報を確実に送信することができる。
また、本発明は、記録媒体に固有の固有情報と、著作物を第１形式により表現した第１情報とを記録している当該記録媒体を用いて、前記著作物を第２形式により表現した第２情報を取得した情報処理装置へ、前記第２情報に関連する付加情報を送信する付加情報配信装置であって、前記付加情報と、前記第２情報を識別する識別情報と対応付けてを記憶している記憶手段と、前記情報処理装置から配信網を介して、前記第２情報を識別する識別情報を受信する受信手段と、前記記憶手段から、受信した前記識別情報により識別される前記付加情報を抽出する抽出手段と、抽出した前記付加情報を前記情報処理装置へ送信する送信手段とを備える。
【００１１】
この構成によると、付加情報配信装置は、配信網を介して、情報処理装置へ前記第２情報に関連する付加情報を確実に送信することができる。
（発明を実施するための最良の形態）
本発明の１の実施の形態としてのデジタルデータ配信システム１について説明する。
【００１２】
１．デジタルデータ配信システム１の構成
デジタルデータ配信システム１は、図１に示すように、情報処理端末装置１０、ディレクトリサーバ装置２０、コンテンツ配信サーバ装置３０ａ、コンテンツ配信サーバ装置３０ｂ、コンテンツ配信サーバ装置３０ｃ、・・・、付加情報配信サーバ装置４０及び決済サーバ装置５０から構成され、これらの装置は、それぞれ、インターネット６０を介して接続されている。
【００１３】
ＣＤ−ＤＡにより規定された音楽情報のみが記録されているＣＤ、又はＣＤ−ＤＡにより規定された音楽情報及びＣＤ−ＲＯＭとしての音楽情報が記録されているＣＤのいずれかが、情報処理端末装置１０に装着される。
ＣＤ−ＤＡにより規定された音楽情報のみが記録されているＣＤが装着された場合に、情報処理端末装置１０は、ディレクトリサーバ装置２０から、前記ＣＤに記録されている音楽情報を示すＩＳＲＣ番号、及びコンテンツ配信サーバ装置を示す配信サーバ位置情報を取得する。次に、取得した配信サーバ位置情報により示されるコンテンツ配信サーバ装置から、前記音楽情報をＭＰ３により圧縮、暗号化したコンテンツ及び復号化鍵を取得する。次に、取得した復号化鍵を用いて、取得したコンテンツを復号して、音楽を再生する。
【００１４】
ＣＤ−ＤＡにより規定された音楽情報及びＣＤ−ＲＯＭとしての暗号化された音楽情報が記録されているＣＤが装着された場合に、情報処理端末装置１０は、コンテンツ配信サーバ装置から、復号化鍵を取得し、次に、取得した復号化鍵を用いて、ＣＤに記録されているコンテンツを復号して、音楽を再生する。
１．１  情報処理端末装置１０
情報処理端末装置１０は、図２に示すように、受信部１０１、コンテンツ記憶部１０２、再生部１０３、読出部１０４、変換部１０５、送信部１０６、ＣＤ読出部１０７、情報記憶部１０８及び入力部１０９から構成されている。
【００１５】
情報処理端末装置１０は、具体的には、マイクロプロセッサ、ＲＯＭ、ＲＡＭ、ハードディスクユニット、ディスプレィユニット、キーボード、マウス、ＬＡＮ接続ユニット、ＣＤ入出力ユニットなどから構成されるパーソナルコンピュータシステムである。前記ＲＡＭ又は前記ハードディスクユニットには、コンピュータプログラムが記憶されている。前記マイクロプロセッサが、前記コンピュータプログラムに従って動作することにより、情報処理端末装置１０は、その機能を達成する。
【００１６】
（１）情報記憶部１０８
情報記憶部１０８は、具体的には、ハードディスクユニットから構成され、端末位置情報、端末ＩＤ及び利用者情報を予め記憶している。
端末位置情報は、インターネット６０において、情報処理端末装置１０が接続されている位置を示す識別情報である。具体的には、ＩＰアドレスである。
【００１７】
端末ＩＤは、情報処理端末装置１０を識別するための識別子である。
利用者情報は、情報処理端末装置１０を利用する利用者に関する情報を含み、具体的には、利用者の名称、利用者の住所、電話番号を含む。
（２）ＣＤの構造
情報処理端末装置１０に装着される複数種類のＣＤの構造と、前記ＣＤに格納されている情報の構造について説明する。これらのＣＤは、音楽用ＣＤにパソコンなどで再生可能なデータを含ませることができるＣＤエクストラで実現される。なお、ＤＶＤ、ＰＤ、ＦＤ、半導体メディアなどの記録メディアで実現されてもよい。
【００１８】
前記複数種類のＣＤには、ＣＤ−ＤＡにより規定された情報を格納するＣＤ−ＤＡ用の領域を含むものと、前記ＣＤ−ＤＡ用領域及びＣＤ−ＲＯＭとしての情報を格納するＣＤ−ＲＯＭ用の領域とを含むものとがある。
ＣＤ−ＤＡ用の領域には、図３に示すように、ＣＤ−ＤＡにより規定されたＴＯＣ情報及び１個以上の音楽情報が記録されている。ＴＯＣ情報は、１個以上の論理セクタアドレスと合計時間とを含む。前記論理セクタアドレスは、前記音楽情報が格納されている領域の先頭位置を示す。合計時間は、全音楽情報の合計時間を示す。
【００１９】
また、ＣＤ−ＲＯＭ用の領域には、図４に示すように、コンテンツが記録されている。コンテンツは、ＩＳＲＣ番号、曲データ、鍵配信元サーバ名、コンテンツ配信サーバ名、及び付加情報配信サーバ位置情報と付加情報配信サーバ説明とを対応付ける組を１個以上を含む。
ＩＳＲＣ番号は、ＩＳＲＣ（Ｉｎｔｅｒｎａｔｉｏｎａ１  Ｓｔａｎｄａｒｄ  Ｒｅｃｏｒｄｉｎｇ  Ｃｏｄｅ、国際標準化機構ＩＳＯによる国際規格）により定められ、音楽を世界中で唯一に特定するための識別情報であり、国、会社、録音年、レコーディング番号から構成される。なお、コンテンツを特定するためにＩＳＲＣ番号を用いているとしているが、他のコンテンツを特定し管理できる番号であってもよい。
【００２０】
曲データは、音楽情報がＭＰ３により圧縮符号化され、暗号化された情報である。ここで用いられる暗号化方式は、一般的には暗号化と復号化を同一の鍵で行う秘密鍵暗号方式を用いて行われる。なお、暗号化と復号化を異なる鍵で行う公開鍵暗号方式を用いるとしてもよい。
鍵配信元サーバ名は、曲データを復号するための復号化鍵を記憶し、前記復号化鍵をインターネット６０を介して提供するサーバ装置を識別するため識別名である。当該サーバ装置は、本実施の形態では、コンテンツ配信サーバ装置３０ａ、３０ｂ、３０ｃ、・・・に相当する。
【００２１】
コンテンツ配信サーバ名は、インターネット６０を介して、当該コンテンツを配信するサーバ装置を識別するための識別名である。当該サーバ装置は、本実施の形態では、コンテンツ配信サーバ装置３０ａ、３０ｂ、３０ｃ、・・・に相当する。
付加情報配信サーバ位置情報は、インターネット６０を介して、付加情報を配信するサーバ装置を識別するための識別名である。当該サーバ装置は、本実施の形態では、付加情報配信サーバ装置４０に相当する。ここで、付加情報とは、当該コンテンツに関連する情報であり、例えば、当該コンテンツに含まれる曲データに関連する静止画像、動画像、又は前記曲データにおいて歌われている歌詞を示す文字情報である。
【００２２】
付加情報配信サーバ説明は、対応する付加情報配信サーバ位置情報により識別されるサーバ装置を簡潔に説明するための記載である。
（３）入力部１０９
入力部１０９は、具体的には、キーボード、マウスなどを含む。
入力部１０９は、利用者から、ＣＤのＣＤ−ＤＡ用の領域に記録されている音楽情報をＭＰ３により規定されている形式の音楽情報に変換する変換指示、又はＭＰ３により規定されている形式に既に変換された音楽情報をインターネット６０を介して取得する取得指示の入力を受け取る。
【００２３】
取得指示の入力を受け取った場合に、入力部１０９は、利用者からリッピングコンテンツの取得要求の入力を受け付け、入力を受け付けた取得要求をＣＤ読出部１０７及び送信部１０６へ出力する。また、入力部１０９は、利用者からリッピングコンテンツを識別する曲番号の入力を受け付け、入力を受け付けた曲番号を送信部１０６へ出力する。
【００２４】
変換指示の入力を受け取った場合に、入力部１０９は、前記変換指示をＣＤ読出部１０７へ出力する。
（４）ＣＤ読出部１０７
ＣＤ読出部１０７は、具体的には、ＣＤ入出力ユニットなどから構成される。
ＣＤ読出部１０７は、入力部１０９からリッピングコンテンツの取得要求を受け取る。前記取得要求を受け取ると、ＣＤ読出部１０７は、情報処理端末装置１０に装着されたＣＤの種類を判断する。つまり、ＣＤ読出部１０７は、情報処理端末装置１０に装着されたＣＤが、ＣＤ−ＤＡ用の領域にのみ情報が記録されているものであるか、又はＣＤ−ＤＡ用の領域に情報が記録され、かつＣＤ−ＲＯＭ用の領域に情報が記録されているものであるかを判断する。
【００２５】
次に、前記ＣＤがＣＤ−ＤＡ用の領域にのみ情報が記録されているものであると判断した場合に、ＣＤ読出部１０７は、前記ＣＤからＴＯＣ情報を読み出し、読み出したＴＯＣ情報を送信部１０６へ出力する。
また、前記ＣＤがＣＤ−ＤＡ用の領域に情報が記録され、かつＣＤ−ＲＯＭ用の領域に情報が記録されているものであると判断した場合に、すなわち、コンテンツ１４０が記録されていると判断した場合に、ＣＤ読出部１０７は、ＣＤ内のＣＤ−ＲＯＭ用の領域に記録されているコンテンツから鍵配信元サーバ名とＩＳＲＣ番号とを読み出し、読み出した鍵配信元サーバ名とＩＳＲＣ番号とを送信部１０６へ出力する。
【００２６】
また、ＣＤ読出部１０７は、入力部１０９から前記変換指示を受け取る。前記変換指示を受け取ると、ＣＤ読出部１０７は、ＣＤ−ＤＡ用の領域に記録されている音楽情報を読み出し、読み出した音楽情報を変換部１０５へ出力する。
（５）送信部１０６
送信部１０６は、入力部１０９から前記取得要求を受け取る。前記取得要求を受け取ると、送信部１０６は、情報記憶部１０８から端末位置情報を読み出し、さらに入力部１０９から曲番号を受け取り、ＣＤ読出部１０７からＴＯＣ情報を受け取り、受け取った曲番号と受け取ったＴＯＣ情報と読み出した端末位置情報とを、インターネット６０を介して、ディレクトリサーバ装置２０へ送信する。
【００２７】
送信部１０６は、受信部１０１から配信サーバ位置情報、ＩＳＲＣ番号及びディレクトリサーバ名を受け取る。ここで、配信サーバ位置情報は、コンテンツ配信サーバ装置３０を示すための識別情報であり、ディレクトリサーバ名は、ディレクトリサーバ装置２０を示す識別情報である。配信サーバ位置情報、ＩＳＲＣ番号及びディレクトリサーバ名を受け取ると、送信部１０６は、情報記憶部１０８から端末ＩＤを読み出し、利用者情報を読み出す。次に、送信部１０６は、受け取った配信サーバ位置情報により示される装置、つまりコンテンツ配信サーバ装置３０へ、受け取ったＩＳＲＣ番号、受け取ったディレクトリサーバ名、読み出した端末位置情報、読み出した端末ＩＤ及び読み出した利用者情報を、インターネット６０を介して送信する。
【００２８】
送信部１０６は、読出部１０４から付加情報配信サーバ位置情報を受け取る。前記付加情報配信サーバ位置情報を受け取ると、送信部１０６は、インターネット６０を介して、読み出した前記端末位置情報、読み出した端末ＩＤ、抽出した前記コンテンツ配信サーバ名、受け取った前記ＩＳＲＣ番号及び読み出した前記利用者情報を、抽出した付加情報配信サーバ位置情報により示される装置、つまり、付加情報配信サーバ装置４０へ送信する。また、付加情報配信サーバ装置４０から付加情報を受け取った場合、送信部１０６は、インターネット６０を介して、支払い情報を決済サーバ装置５０へ送信する。ここで、前記支払い情報は、付加情報配信サーバ装置４０から受信する付加情報の対価として付加情報配信サーバ装置４０へ支払うべき料金の支払いを示す情報である。
【００２９】
ＣＤ読出部１０７が、装着された前記ＣＤがＣＤ−ＤＡ用の領域に情報が記録され、かつＣＤ−ＲＯＭ用の領域に情報が記録されているものであると判断した場合に、送信部１０６は、端末ＩＤと端末位置情報とを情報記憶部１０８から読み出す。
鍵配信元サーバ名とＩＳＲＣ番号とを読出部１０４から受け取ると、送信部１０６は、復号化鍵配信要求を生成し、インターネット６０を介して、前記読み出した鍵配信元サーバ名により示される装置、つまりコンテンツ配信サーバ装置３０へ、読み出した端末ＩＤ、端末位置情報、復号化鍵配信要求及びＩＳＲＣ番号を送信する。
【００３０】
（６）受信部１０１
受信部１０１は、インターネット６０を介して、ディレクトリサーバ装置２０から、配信サーバ位置情報、ＩＳＲＣ番号及びディレクトリサーバ名を受信し、受信した配信サーバ位置情報、ＩＳＲＣ番号及びディレクトリサーバ名を送信部１０６へ出力する。
【００３１】
また、受信部１０１は、インターネット６０を介して、コンテンツ配信サーバ装置３０から、復号化鍵とコンテンツとを受け取り、受け取った復号化鍵とコンテンツとを対応付けて、コンテンツ記憶部１０２へ書き込む。
ここで、受信部１０１は、復号化鍵の送受信をＳｅｃｕｒｅ  Ｓｏｃｋｅｔ  Ｌａｙｅｒ（ＳＳＬ）などのセキュアな通信プロトコルを用いて行う。
【００３２】
また、受信部１０１は、インターネット６０を介して、付加情報配信サーバ装置４０からファイルを受信し、受信したファイルをコンテンツ記憶部１０２へ書き込む。
また、受信部１０１は、インターネット６０を介して、コンテンツ配信サーバ装置３０から、復号化鍵を受信し、受信した復号化鍵をコンテンツ記憶部１０２へ書き込む。
【００３３】
（７）読出部１０４
読出部１０４は、コンテンツ記憶部１０２から前記コンテンツを読み出し、読み出したコンテンツから、付加情報配信サーバ位置情報及びコンテンツ配信サーバ名を抽出し、抽出した付加情報配信サーバ位置情報及びコンテンツ配信サーバ名を送信部１０６へ出力する。
【００３４】
（８）再生部１０３
再生部１０３は、コンテンツ記憶部１０２からコンテンツと復号化鍵とを読み出し、読み出した復号化鍵を用いて、コンテンツを復号して音声を再生する。また、再生部１０３は、コンテンツ記憶部１０２からファイルを読み出し、読み出したファイルを復号して映像を生成して再生する。
【００３５】
また、再生部１０３は、ＭＰ３により規定された形式に変換された音楽情報を再生する。
（９）変換部１０５
変換部１０５は、ＣＤ読出部１０７から音楽情報を受け取り、受け取った音楽情報をＭＰ３により規定された形式の音楽情報に変換し、変換した音楽情報をコンテンツ記憶部１０２に書き込む。
【００３６】
ここで、変換部１０５は、ＭＰ３に基づく形式の音楽情報に変換する。なお、ＡＡＣ（Ａｄｏｖａｎｃｅｄ  Ａｕｄｉｏ  Ｃｏｄｉｎｇ）、ＡＴＲＡＣ３（Ａｄａｐｔｉｖｅ  Ｔｒａｎｓｆｏｒｍ  Ａｃｏｕｓｔｉｃ  Ｃｏｄｉｎｇ）、ＴｗｉｎＶＱ（Ｔｒａｎｓｆｏｒｍ−ｄｏｍａｉｎ  Ｗｅｉｇｈｅｄ  Ｉｎｔｅｒｌｅａｖｅ  Ｖｅｃｔｏｒ  Ｑｕａｎｔｉｚａｔｉｏｎ）などの音声圧縮Ｃｏｄｅｃに基づく形式の音楽情報に変換するとしてもよい。
【００３７】
（１０）コンテンツ記憶部１０２
コンテンツ記憶部１０２は、コンテンツと復号化鍵とを対応付けて記憶するための領域を備えている。また、ＭＰ３により規定された形式に変換された音楽情報を記憶するための領域を備えている。
ここで、復号化鍵は、通常のユーザアクセスでは見ることのできないセキュアな領域に記録される。
【００３８】
１．２  ディレクトリサーバ装置２０
ディレクトリサーバ装置２０は、図５に示すように、送信部２０１、受信部２０２、検索部２０３及び情報記憶部２０４から構成されている。
ディレクトリサーバ装置２０は、具体的には、情報処理端末装置１０と同様のコンピュータシステムである。マイクロプロセッサが、コンピュータプログラムに従って動作することにより、ディレクトリサーバ装置２０は、その機能を達成する。
【００３９】
ディレクトリサーバ装置２０は、コンテンツ配信サーバ装置３０とは、独立して運営されている。ディレクトリサーバ装置２０の運営者は、複数のコンテンツ配信サーバ装置の運営者と契約をしており、ディレクトリサーバ装置２０は、ＣＤを持つ利用者にそのＣＤを情報処理端末装置１０でリッピングせずともリツピングしたときのデータと同様のコンテンツを獲得できるコンテンツ配信サーバ装置３０を、利用者に対して案内する。
【００４０】
（１）情報記憶部２０４
情報記憶部２０４は、具体的には、ハードディスクユニットから構成され、ディレクトリサーバ名、メディアＩＤ参照表２３０、配信サーバ参照表２４０及びＩＳＲＣ参照表２５０をあらかじめ記憶している。
（ディレクトリサーバ名）
ディレクトリサーバ名は、ディレクトリサーバ装置２０を識別するための識別名である。
【００４１】
（メディアＩＤ参照表２３０）
メディアＩＤ参照表２３０は、図６に一例として示すように、メディアＩＤ、オフセット及び合計時間からなる組を１個以上含んでいる。
メディアＩＤは、ＣＤの種類毎に、その種類を識別するための識別情報である。
【００４２】
オフセットは、１個以上の論理セクタアドレスを含み、各論理セクタアドレスは、当該ＣＤのＣＤ−ＤＡ用の領域において、音楽情報が記憶されている領域の先頭位置を示す。
合計時間は、当該ＣＤのＣＤ−ＤＡ用の領域に記憶されている全ての音楽情報を再生するために要する時間である。
【００４３】
（配信サーバ参照表２４０）
配信サーバ参照表２４０は、図７に一例として示すように、メディアＩＤ及び配信サーバ位置情報からなる組を１個以上含む。
メディアＩＤは、上述したように、ＣＤの種類毎に、その種類を識別するための識別情報である。
【００４４】
配信サーバ位置情報は、インターネット６０に接続されているコンテンツ配信サーバを示す識別情報であり、具体的には、ＵＲＬ（Ｕｎｉｆｏｒｍ  Ｒｅｓｏｕｒｃｅ  Ｌｏｃａｔｏｒｓ）である。
（ＩＳＲＣ参照表２５０）
ＩＳＲＣ参照表２５０は、図８に一例として示すように、メディアＩＤ、曲番号及びＩＳＲＣ番号からなる組を１個以上含む。
【００４５】
メディアＩＤは、上述したように、ＣＤの種類毎に、その種類を識別するための識別情報である。
曲番号は、ＣＤに記録されている音楽を、当該ＣＤ内において識別するための番号である。
ＩＳＲＣ番号は、上述したとおりであるので、説明を省略する。
【００４６】
（２）受信部２０２
受信部２０２は、インターネット６０を介して、情報処理端末装置１０から、曲番号、ＴＯＣ情報及び端末位置情報を受信し、受信した曲番号及び受信したＴＯＣ情報を検索部２０３へ出力し、受信した端末位置情報を送信部２０１へ出力する。
【００４７】
（３）検索部２０３
検索部２０３は、情報記憶部２０４からディレクトリサーバ名を読み出す。
次に、検索部２０３は、ＴＯＣ情報を受信部２０２から受け取り、情報記憶部２０４に記憶されているメディアＩＤ参照表２３０から、受け取った前記ＴＯＣ情報と同一内容のオフセット及び合計時間の組を抽出し、抽出した組に対応するメディアＩＤを取得する。
【００４８】
次に、検索部２０３は、情報記憶部２０４に記憶されている配信サーバ参照表２４０から、取得した前記メディアＩＤに対応する配信サーバ位置情報を取得する。
次に、検索部２０３は、情報記憶部２０４に記憶されているＩＳＲＣ参照表２５０から、取得した前記メディアＩＤ及び受け取った前記曲番号に対応するＩＳＲＣ番号を取得する。
【００４９】
次に、検索部２０３は、取得した配信サーバ位置情報、取得したＩＳＲＣ番号及び読み出したディレクトリサーバ名を送信部２０１へ出力する。
（４）送信部２０１
送信部２０１は、検索部２０３から配信サーバ位置情報、ＩＳＲＣ番号及びディレクトリサーバ名を受け取り、受け取った配信サーバ位置情報、ＩＳＲＣ番号及びディレクトリサーバ名を、前記受け取った端末位置情報により示される装置、つまり、情報処理端末装置１０へ送信する。
【００５０】
１．３  コンテンツ配信サーバ装置３０ａ、３０ｂ、３０ｃ、・・・
コンテンツ配信サーバ装置３０ａ、３０ｂ、３０ｃ、・・・は、それぞれ同一の装置であるので、以下において、コンテンツ配信サーバ装置３０として説明する。
コンテンツ配信サーバ装置３０は、図９に示すように、顧客情報記憶部３０１、記録部３０２、送信部３０３、取得部３０４、受信部３０５及び情報記憶部３０６から構成されている。コンテンツ配信サーバ装置３０は、利用者にコンテンツを配信するＷｅｂサイトである。コンテンツ配信サーバ装置３０は、利用者に配信するコンテンツに、音楽情報に関連する最新情報、カラオケデータ、画像データなどを配信するサイト（付加情報配信サーバ装置４０）の位置情報を付与する。このサイト（付加情報配信サーバ装置４０）の売上げカウント数に応じて、コンテンツ配信サーバ装置３０は、利益を享受する。
【００５１】
コンテンツ配信サーバ装置３０は、具体的には、情報処理端末装置１０と同様のコンピュータシステムである。マイクロプロセッサが、コンピュータプログラムに従って動作することにより、コンテンツ配信サーバ装置３０は、その機能を達成する。
（１）情報記憶部３０６
情報記憶部３０６は、具体的には、ハードディスクユニットから構成され、コンテンツ格納先参照表３３０及び１個以上のファイル（コンテンツ）を記憶している。
【００５２】
ファイル（コンテンツ）は、図４に示すコンテンツと同じであるので、説明を省略する。
（コンテンツ格納先参照表３３０）
コンテンツ格納先参照表３３０は、図１０に一例として示すように、ＩＳＲＣ番号、ファイル名及び復号化鍵からなる組を１個以上含んでいる。
【００５３】
ＩＳＲＣ番号については、上述したとおりである。
ファイル名は、情報記憶部３０６に記憶されているファイルの格納位置を示す情報と、当該ファイルを識別する識別情報からなる。
復号化鍵は、同じ組に含まれるファイル名により特定されるファイル（コンテンツ）に含まれる曲データを復号する際に用いられる鍵情報である。
【００５４】
（２）顧客情報記憶部３０１
顧客情報記憶部３０１は、具体的には、ハードディスクユニットから構成され、顧客情報管理表３４０及びダウンロードコンテンツ管理表３５０を記憶している。
（顧客情報管理表３４０）
顧客情報管理表３４０は、図１１に一例として示すように、端末ＩＤ及び顧客情報から構成される組を１個以上記憶するための領域を含んでいる。
【００５５】
端末ＩＤは、各情報処理端末装置を識別するための識別情報である。
顧客情報は、同じ組に含まれる端末ＩＤを利用する利用者に関する情報であり、利用者の名称、住所、電話番号を含む。
（ダウンロードコンテンツ管理表３５０）
ダウンロードコンテンツ管理表３５０は、図１２に一例として示すように、端末ＩＤ、ダウンロードコンテンツファイル名及びディレクトリサーバ名から構成される組を１個以上記憶するための領域を含んでいる。
【００５６】
端末ＩＤについては、上述したとおりである。
ダウンロードコンテンツファイル名は、同じ組に含まれる端末ＩＤにより識別される情報処理端末装置に対して送信したコンテンツのファイル名を示す。
ディレクトリサーバ名は、同じ組に含まれる端末ＩＤにより識別される情報処理端末装置に対してコンテンツを送信したときに、当該情報処理端末装置から送信されたディレクトリサーバを識別する名称である。
【００５７】
（３）受信部３０５
受信部３０５は、インターネット６０を介して、情報処理端末装置１０から、ＩＳＲＣ番号、ディレクトリサーバ名、端末位置情報、端末ＩＤ及び利用者情報を受信し、受信したＩＳＲＣ番号、ディレクトリサーバ名、端末位置情報、端末ＩＤ及び利用者情報を、取得部３０４へ出力する。
【００５８】
また、受信部３０５は、インターネット６０を介して、情報処理端末装置１０から、端末ＩＤ、端末位置情報、復号化鍵配信要求及びＩＳＲＣ番号を受信し、受信した端末ＩＤ、端末位置情報、復号化鍵配信要求及びＩＳＲＣ番号を取得部３０４へ出力し、受信した端末位置情報を送信部３０３へ出力する。
（４）取得部３０４
取得部３０４は、受信部３０５からＩＳＲＣ番号、ディレクトリサーバ名、端末位置情報、端末ＩＤ及び利用者情報を受け取る。これらの情報を受け取ると、取得部３０４は、情報記憶部３０６に記憶されているコンテンツ格納先参照表３３０から、受け取ったＩＳＲＣ番号に対応するファイル名及び復号化鍵を抽出し、抽出したファイル名により識別されるファイル、言い換えると、コンテンツを情報記憶部３０６から読み出す。次に、取得部３０４は、抽出した復号化鍵と読み出したコンテンツとを送信部３０３へ出力する。
【００５９】
また、取得部３０４は、受信部３０５から端末ＩＤ、端末位置情報、復号化鍵配信要求及びＩＳＲＣ番号を受け取る。これらの情報を受け取ると、取得部３０４は、受け取ったＩＳＲＣ番号に対応する復号化鍵を情報記憶部３０６に記憶されているコンテンツ格納先参照表３３０から取得し、取得した復号化鍵を送信部３０３へ出力する。
【００６０】
次に、取得部３０４は、受け取った利用者情報、受け取った前記端末ＩＤ、抽出した前記ファイル名及び受け取った前記ディレクトリサーバ名を、記録部３０２へ出力する。
（５）送信部３０３
送信部３０３は、取得部３０４から復号化鍵とコンテンツとを受け取る。復号化鍵とコンテンツとを受け取ると、送信部３０３は、受け取った復号化鍵とコンテンツとを、インターネット６０を介して、受け取った前記端末位置情報により示される装置、つまり、情報処理端末装置１０へ送信する。
【００６１】
ここで、送信部３０３は、復号化鍵の送受信をＳＳＬなどのセキュアな通信プロトコルを用いて行う。
次に、送信部３０３は、「ディレクトリサーバ装置に対する支払い情報」を、インターネット６０を介して、決済サーバ装置５０へ送信する。ここで、「ディレクトリサーバ装置に対する支払い情報」は、コンテンツ配信サーバ装置３０が、ディレクトリサーバ装置から情報処理端末装置１０の紹介を受けたことに対する対価の支払いを示す情報である。
【００６２】
また、送信部３０３は、受信部３０５から端末位置情報を受け取り、取得部３０４から復号化鍵を受け取り、インターネット６０を介して、受け取った端末位置情報により示される装置へ、受け取った前記復号化鍵を送信する。
（６）記録部３０２
記録部３０２は、取得部３０４から端末ＩＤ、ファイル名、ディレクトリサーバ名及び利用者情報を受け取り、受け取った端末ＩＤと、受け取ったファイル名及びディレクトリサーバ名とを対応付けて、ダウンロードコンテンツ管理表３５０に書き込む。また、受け取った端末ＩＤ及び受け取った利用者情報を対応付けて、端末ＩＤ及び顧客情報として、顧客情報管理表３４０へ書き込む。
【００６３】
１．４  付加情報配信サーバ装置４０
付加情報配信サーバ装置４０は、図１３に示すように、顧客情報記憶部４０１、記録部４０２、送信部４０３、取得部４０４、付加情報記憶部４０６及び受信部４０５から構成されている。付加情報配信サーバ装置４０は、コンテンツに関連する付加情報を提供するＷｅｂサイトである。
【００６４】
付加情報配信サーバ装置４０は、具体的には、情報処理端末装置１０と同様のコンピュータシステムである。マイクロプロセッサが、コンピュータプログラムに従って動作することにより、付加情報配信サーバ装置４０は、その機能を達成する。
（１）付加情報記憶部４０６
付加情報記憶部４０６は、具体的には、ハードディスクユニットから構成されており、１個以上のファイル（付加情報）と付加情報格納先参照表４３０とを記憶している。
【００６５】
前記ファイルは、付加情報を含む。ここで、付加情報とは、上述したように、コンテンツに関連する情報であり、例えば、当該コンテンツに含まれる曲データに関連する静止画像、動画像、カラオケ用データ、又は前記曲データにおいて歌われている歌詞を示す文字情報である。
（付加情報格納先参照表４３０）
付加情報格納先参照表４３０は、図１４に一例として示すように、ＩＳＲＣ番号とファイル名とから構成される組を１個以上含んでいる。
【００６６】
ＩＳＲＣ番号については、上述した通りであるので、説明を省略する。
ファイル名は、付加情報記憶部４０６に記憶されているファイルを識別するための識別情報である。
（２）顧客情報記憶部４０１
顧客情報記憶部４０１は、具体的には、ハードディスクユニットから構成されており、顧客情報管理表４４０及びダウンロード付加情報管理表４５０を記憶している。
【００６７】
（顧客情報管理表４４０）
顧客情報管理表４４０は、図１５に一例として示すように、端末ＩＤ及び顧客情報からなる組を１個以上含む領域を有している。
端末ＩＤ及び顧客情報については、上述したとおりであるので、説明を省略する。
【００６８】
（ダウンロード付加情報管理表４５０）
ダウンロード付加情報管理表４５０は、図１６に一例として示すように、端末ＩＤとダウンロードコンテンツ名とコンテンツ配信サーバ名とからなる組を１個以上含む領域を有している。
端末ＩＤについては、上述したとおりであるので、説明を省略する。
【００６９】
ダウンロードコンテンツ名は、付加情報配信サーバ装置４０から、前記端末ＩＤにより識別される情報処理端末装置に対して送信されたファイル（付加情報）を識別する識別名である。
コンテンツ配信サーバ名は、前記端末ＩＤにより識別される情報処理端末装置から送信されたコンテンツ配信サーバ名である。
【００７０】
（３）受信部４０５
受信部４０５は、インターネット６０を介して、情報処理端末装置１０から、端末位置情報、端末ＩＤ、コンテンツ配信サーバ名、ＩＳＲＣ番号及び利用者情報を受信し、受信した端末位置情報、端末ＩＤ、コンテンツ配信サーバ名、ＩＳＲＣ番号及び利用者情報を取得部４０４へ出力する。また、受信部４０５は、決済サーバ装置５０から確認情報を受信する。
【００７１】
（４）取得部４０４
取得部４０４は、受信部４０５から端末位置情報、端末ＩＤ、コンテンツ配信サーバ名、ＩＳＲＣ番号及び利用者情報を受け取る。これらの情報を受け取ると、取得部４０４は、付加情報記憶部４０６に記憶されている付加情報格納先参照表４３０から、受け取ったＩＳＲＣ番号に対応するファイル名を取得し、取得したファイル名に対応するファイル（付加情報）を付加情報記憶部４０６から読み出す。
【００７２】
また、取得部４０４は、受け取った端末位置情報及び取得したファイルを送信部４０３へ出力する。
また、取得部４０４は、ファイル名、コンテンツ配信サーバ名、端末ＩＤ及び利用者情報を記録部４０２へ出力する。
（５）記録部４０２
記録部４０２は、取得部４０４からファイル名、コンテンツ配信サーバ名、端末ＩＤ及び利用者情報を受け取り、受け取ったファイル名、コンテンツ配信サーバ名及び端末ＩＤを対応付けて、顧客情報記憶部４０１に記憶されているダウンロード付加情報管理表４５０へ書き込む。また、記録部４０２は、受け取った端末ＩＤ及び利用者情報を対応付けて、端末ＩＤ及び顧客情報として顧客情報記憶部４０１に記憶されている顧客情報管理表４４０へ書き込む。
【００７３】
（６）送信部４０３
送信部４０３は、取得部４０４から端末位置情報及びファイルを受け取る。これらの情報を受け取ると、送信部４０３は、インターネット６０を介して、受け取った端末位置情報により示される装置、つまり情報処理端末装置１０へ、受け取ったファイルを送信する。
【００７４】
また、送信部４０３は、インターネット６０を介して、「コンテンツ配信サーバへの支払い情報」を決済サーバ装置５０へ送信する。ここで、「コンテンツ配信サーバへの支払い情報」は、付加情報配信サーバ装置４０が、コンテンツ配信サーバ装置から情報処理端末装置１０の紹介を受けたことに対する対価の支払いを示す情報である。
【００７５】
１．５  決済サーバ装置５０
決済サーバ装置５０は、図１７に示すように、送信部５０１、受信部５０２、決済処理部５０３及び決済情報記憶部５０４から構成されている。
決済サーバ装置５０は、具体的には、情報処理端末装置１０と同様のコンピュータシステムである。マイクロプロセッサが、コンピュータプログラムに従って動作することにより、決済サーバ装置５０は、その機能を達成する。
【００７６】
（１）受信部５０２
受信部５０２は、インターネット６０を介して、コンテンツ配信サーバ装置３０から「ディレクトリサーバ装置に対する支払い情報」を受信し、受信した「ディレクトリサーバ装置に対する支払い情報」を決済処理部５０３へ出力する。
また、受信部５０２は、インターネット６０を介して、情報処理端末装置１０から支払い情報を受け取り、受け取った支払い情報を決済処理部５０３へ出力する。
【００７７】
また、受信部５０２は、インターネット６０を介して、付加情報配信サーバ装置４０から「コンテンツ配信サーバへの支払い情報」を受信し、受信した「コンテンツ配信サーバへの支払い情報」を決済処理部５０３へ出力する。
（２）決済処理部５０３
決済処理部５０３は、受信部５０２から「ディレクトリサーバ装置に対する支払い情報」を受け取り、受け取った「ディレクトリサーバ装置に対する支払い情報」に基づいて、決済処理を行う。
【００７８】
また、決済処理部５０３は、受信部５０２から支払い情報を受け取り、受け取った支払い情報に基づいて、決済処理を行い、決済処理を行ったことを示す確認情報を生成し、生成した確認情報を送信部５０１へ出力する。
また、決済処理部５０３は、受信部５０２から「コンテンツ配信サーバへの支払い情報」を受け取り、受け取った「コンテンツ配信サーバへの支払い情報」支払い情報に基づいて、決済処理を行う。
【００７９】
（３）送信部５０１
送信部５０１は、決済処理部５０３から確認情報を受け取り、確認情報を付加情報配信サーバ装置４０へ送信する。
（４）決済情報記憶部５０４
決済情報記憶部５０４は、決済処理部５０３によりなされた決済処理に関連する情報を記憶する。
【００８０】
２．デジタルデータ配信システム１の動作
デジタルデータ配信システム１の動作について、図１８〜図２１に示すフローチャートを用いて説明する。
情報処理端末装置１０の入力部１０９は、利用者からリッピングコンテンツの取得要求の入力を受け付け、入力を受け付けた取得要求をＣＤ読出部１０７及び送信部１０６へ出力する（ステップＳ１０１）。また、入力部１０９は、利用者から曲番号の入力を受け付け、入力を受け付けた曲番号を送信部１０６へ出力する（ステップＳ１０２）。
【００８１】
前記取得要求を受け取ると、ＣＤ読出部１０７は、情報処理端末装置１０に装着されたＣＤの種類を判断し、ＣＤがＣＤ−ＤＡ領域にのみ情報を記録しているなら（ステップＳ１０３）、情報処理端末装置１０に装着されたＣＤからＴＯＣ情報を読み出し、読み出したＴＯＣ情報を送信部１０６へ出力する（ステップＳ１０４）。
【００８２】
次に、送信部１０６は、入力部１０９から前記取得要求を受け取ると、情報記憶部１０８から端末位置情報を読み出し（ステップＳ１０５）、さらに入力部１０９から曲番号を受け取り、ＣＤ読出部１０７からＴＯＣ情報を受け取り、受け取った曲番号と受け取ったＴＯＣ情報と読み出した端末位置情報とを、インターネット６０を介して、ディレクトリサーバ装置２０へ送信する（ステップＳ１０６）。
【００８３】
ディレクトリサーバ装置２０の受信部２０２は、インターネット６０を介して、情報処理端末装置１０から、曲番号、ＴＯＣ情報及び端末位置情報を受信し、受信した曲番号を検索部２０３へ出力し、ＴＯＣ情報を検索部２０３へ出力し、端末位置情報を送信部２０１へ出力する（ステップＳ１０６）
検索部２０３は、情報記憶部２０４からディレクトリサーバ名を読み出し（ステップＳ１０７）、次に、ＴＯＣ情報を受信部２０２から受け取り、情報記憶部２０４に記憶されているメディアＩＤ参照表２３０から、受け取った前記ＴＯＣ情報と同一内容のオフセット及び合計時間の組を抽出し、抽出した組に対応するメディアＩＤを取得し（ステップＳ１０８）、次に、情報記憶部２０４に記憶されている配信サーバ参照表２４０から、取得した前記メディアＩＤに対応する配信サーバ位置情報を取得し（ステップＳ１０９）、次に、情報記憶部２０４に記憶されているＩＳＲＣ参照表２５０から、取得した前記メディアＩＤ及び受け取った前記曲番号に対応するＩＳＲＣ番号を取得する（ステップＳ１１０）。次に、検索部２０３は、取得した配信サーバ位置情報、取得したＩＳＲＣ番号及び読み出したディレクトリサーバ名を送信部２０１へ出力し、送信部２０１は、検索部２０３から配信サーバ位置情報、ＩＳＲＣ番号及びディレクトリサーバ名を受け取り、受け取った配信サーバ位置情報、ＩＳＲＣ番号及びディレクトリサーバ名を、前記受け取った端末位置情報により示される装置へ送信する（ステップＳ１１１）。
【００８４】
情報処理端末装置１０の受信部１０１は、ディレクトリサーバ装置２０から、配信サーバ位置情報、ＩＳＲＣ番号及びディレクトリサーバ名を受信し、受信した配信サーバ位置情報、ＩＳＲＣ番号及びディレクトリサーバ名を送信部１０６へ出力する（ステップＳ１１１）。
送信部１０６は、情報記憶部１０８から端末ＩＤを読み出し（ステップＳ１１２）、利用者情報を読み出し（ステップＳ１１３）、受け取った配信サーバ位置情報により示される装置へ、受け取ったＩＳＲＣ番号、受け取ったディレクトリサーバ名、読み出した端末位置情報、読み出した端末ＩＤ及び読み出した利用者情報を、インターネット６０を介して、送信する（ステップＳ１１４）。
【００８５】
コンテンツ配信サーバ装置３０の受信部３０５は、インターネット６０を介して、情報処理端末装置１０から、ＩＳＲＣ番号、ディレクトリサーバ名、端末位置情報、端末ＩＤ及び利用者情報を受信し、受信したＩＳＲＣ番号、ディレクトリサーバ名、端末位置情報、端末ＩＤ及び利用者情報を、取得部３０４へ出力する（ステップＳ１１４）
取得部３０４は、情報記憶部３０６に記憶されているコンテンツ格納先参照表３３０から、受け取ったＩＳＲＣ番号に対応するファイル名及び復号化鍵を抽出し（ステップＳ１１５）、抽出したファイル名により識別されるファイル、言い換えると、コンテンツを情報記憶部３０６から読み出す（ステップＳ１１６）。次に、取得部３０４は、抽出した復号化鍵と読み出したコンテンツとを送信部３０３へ出力し、送信部３０３は、復号化鍵とコンテンツとを受け取り、受け取った復号化鍵とコンテンツとを、インターネット６０を介して、受け取った前記端末位置情報により示される装置へ送信する（ステップＳ１１７）。
【００８６】
次に、送信部３０３は、「ディレクトリサーバ装置に対する支払い情報」を、インターネット６０を介して、決済サーバ装置５０へ送信する（ステップＳ１２２）。
次に、取得部３０４は、受け取った利用者情報、受け取った前記端末ＩＤ、抽出した前記ファイル名及び受け取った前記ディレクトリサーバ名を、記録部３０２へ出力し（ステップＳ１１９）、記録部３０２は、取得部３０４から端末ＩＤ、ファイル名及びディレクトリサーバ名を受け取り、受け取った端末ＩＤと、受け取ったファイル名及びディレクトリサーバ名とを対応付けて、ダウンロードコンテンツ管理表３５０に書き込み（ステップＳ１２０）、受け取った利用者情報と受け取った端末ＩＤとを対応付けて、顧客情報管理表３４０へ書き込む（ステップＳ１２１）。
【００８７】
決済サーバ装置５０の受信部５０２は、インターネット６０を介して、コンテンツ配信サーバ装置３０から「ディレクトリサーバ装置に対する支払い情報」を受信し（ステップＳ１２２）、決済処理部５０３は、受信した「ディレクトリサーバ装置に対する支払い情報」に基づいて、決済処理を行う（ステップＳ１２３）。
【００８８】
情報処理端末装置１０の受信部１０１は、インターネット６０を介して、コンテンツ配信サーバ装置３０から、復号化鍵とコンテンツとを受け取り（ステップＳ１１７）、受け取った復号化鍵とコンテンツとを対応付けて、コンテンツ記憶部１０２へ書き込む（ステップＳ１１８）。
読出部１０４は、コンテンツ記憶部１０２から前記コンテンツを読み出し、読み出したコンテンツから、付加情報配信サーバ位置情報及びコンテンツ配信サーバ名を抽出し、抽出した付加情報配信サーバ位置情報及びコンテンツ配信サーバ名を送信部１０６へ出力し（ステップＳ１２４）、送信部１０６は、インターネット６０を介して、読み出した前記端末位置情報、読み出した端末ＩＤ、抽出した前記コンテンツ配信サーバ名、受け取った前記ＩＳＲＣ番号及び読み出した前記利用者情報を、抽出した付加情報配信サーバ位置情報により示される装置へ送信する（ステップＳ１２６）。
【００８９】
また、送信部１０６は、インターネット６０を介して、付加情報配信サーバ装置４０への料金の支払いを示す支払い情報を決済サーバ装置５０へ送信する（ステップＳ１２５）。
決済サーバ装置の受信部５０２は、インターネット６０を介して、情報処理端末装置１０から支払い情報を受け取り、決済処理部５０３は、受信した支払い情報に基づいて、決済処理を行い（ステップＳ１２７）、送信部５０１は、インターネット６０を介して、確認情報を付加情報配信サーバ装置４０へ送信する（ステップＳ１２８）。
【００９０】
付加情報配信サーバ装置４０の受信部４０５は、インターネット６０を介して、情報処理端末装置１０から、端末位置情報、端末ＩＤ、コンテンツ配信サーバ名、ＩＳＲＣ番号及び利用者情報を受信し、受信した端末位置情報、端末ＩＤ、コンテンツ配信サーバ名、ＩＳＲＣ番号及び利用者情報を取得部４０４へ出力する（ステップＳ１２６）。また、受信部４０５は、決済サーバ装置５０から確認情報を受け取る（ステップＳ１２８）。
【００９１】
次に、取得部４０４は、付加情報記憶部４０６に記憶されている付加情報格納先参照表４３０から、受け取ったＩＳＲＣ番号に対応するファイル名を取得し（ステップＳ１２９）、取得したファイル名に対応するファイルを付加情報記憶部４０６から読み出す（ステップＳ１３０）。
取得部４０４は、受け取った端末位置情報及び取得したファイルを送信部４０３へ出力し、送信部４０３は、インターネット６０を介して、受け取った端末位置情報により示される装置へ、取得したファイルを送信する（ステップＳ１３１）。
【００９２】
また、送信部４０３は、インターネット６０を介して、「コンテンツ配信サーバへの支払い情報」を決済サーバ装置５０へ送信する（ステップＳ１３２）。
また、取得部４０４は、ファイル名、コンテンツ配信サーバ名、端末ＩＤ及び利用者情報を記録部４０２へ出力し、記録部４０２は、ファイル名、コンテンツ配信サーバ名、端末ＩＤ及び利用者情報を受け取り、受け取ったファイル名、コンテンツ配信サーバ名及び端末ＩＤを対応付けて、顧客情報記憶部４０１に記憶されているダウンロード付加情報管理表４５０へ書き込み（ステップＳ１３６）、受け取った利用者情報と端末ＩＤとを対応付けて、顧客情報記憶部４０１に記憶されている顧客情報管理表４４０へ書き込む（ステップＳ１３７）。
【００９３】
決済サーバ装置の受信部５０２は、インターネット６０を介して、付加情報配信サーバ装置４０から「コンテンツ配信サーバへの支払い情報」を受信し（ステップＳ１３２）、決済処理部５０３は、受信した「コンテンツ配信サーバへの支払い情報」支払い情報に基づいて、決済処理を行う（ステップＳ１３８）。
情報処理端末装置１０の受信部１０１は、インターネット６０を介して、付加情報配信サーバ装置４０からファイルを受信し（ステップＳ１３１）、受信したファイルをコンテンツ記憶部１０２へ書き込む（ステップＳ１３３）。
【００９４】
次に、再生部１０３は、コンテンツ記憶部１０２からコンテンツと復号化鍵とを読み出し、読み出した復号化鍵を用いて、コンテンツを復号して音声を再生し、コンテンツ記憶部１０２からファイルを読み出し、読み出したファイルを復号して映像を生成して再生する（ステップＳ１３５）。
情報処理端末装置１０のＣＤ読出部１０７は、情報処理端末装置１０に装着されたＣＤの種類を判断し、ＣＤがＣＤ−ＤＡ領域とＣＤ−ＲＯＭ領域とに情報を記録しているなら（ステップＳ１０３）、送信部１０６は、端末ＩＤと端末位置情報とを情報記憶部１０８から読み出し（ステップＳ１５１）、ＣＤ読出部１０７は、ＣＤ内に記録されているコンテンツから鍵配信元サーバ名とＩＳＲＣ番号とを読み出し、読み出した鍵配信元サーバ名とＩＳＲＣ番号とを送信部１０６へ出力する（ステップＳ１５２）。次に、送信部１０６は、復号化鍵配信要求を生成し、インターネット６０を介して、前記読み出した鍵配信元サーバ名により示される装置へ、読み出した端末ＩＤ、端末位置情報、復号化鍵配信要求及びＩＳＲＣ番号を送信する（ステップＳ１５３）。
【００９５】
コンテンツ配信サーバ装置３０の受信部３０５は、インターネット６０を介して、情報処理端末装置１０から、端末ＩＤ、端末位置情報、復号化鍵配信要求及びＩＳＲＣ番号を受信し、受信した端末ＩＤ、端末位置情報、復号化鍵配信要求及びＩＳＲＣ番号を取得部３０４へ出力し、受信した端末位置情報を送信部３０３へ出力する（ステップＳ１５３）。
【００９６】
取得部３０４は、受け取ったＩＳＲＣ番号に対応する復号化鍵を情報記憶部３０６に記憶されているコンテンツ格納先参照表３３０から取得し、取得した復号化鍵を送信部３０３へ出力する（ステップＳ１５４）。
送信部３０３は、受信部３０５から端末位置情報を受け取り、取得部３０４から復号化鍵を受け取り、インターネット６０を介して、受け取った端末位置情報により示される装置へ、受け取った前記復号化鍵を送信する（ステップＳ１５５）。
【００９７】
情報処理端末装置１０の受信部１０１は、インターネット６０を介して、コンテンツ配信サーバ装置３０から、復号化鍵を受信し（ステップＳ１５５）、受信した復号化鍵をコンテンツ記憶部１０２へ書き込み（ステップＳ１５６）、再生部１０３は、前記復号化鍵を用いて、コンテンツを復号して、再生する（ステップＳ１５７）。
【００９８】
３．デジタルデータ配信システム１における概要動作
デジタルデータ配信システム１を構成する情報処理端末装置１０、ディレクトリサーバ装置２０、コンテンツ配信サーバ装置３０及び付加情報配信サーバ装置４０において、送受信される主なデータを中心として、デジタルデータ配信システム１における概要動作について、図２２を用いて説明する。
【００９９】
情報処理端末装置１０は、曲番号とＴＯＣ情報とをディレクトリサーバ装置２０へ送信し（ステップＳ２０１）、ディレクトリサーバ装置２０は、配信サーバ位置情報、ＩＳＲＣ番号及びディレクトリサーバ名を情報処理端末装置１０へ送信する（ステップＳ２０２）。
次に、情報処理端末装置１０は、受け取った配信サーバ位置情報により識別されるコンテンツ配信サーバ装置３０に対して、受け取ったＩＳＲＣ番号及びディレクトリサーバ名を送信し（ステップＳ２０３）、コンテンツ配信サーバ装置３０は、コンテンツと復号化鍵を情報処理端末装置１０へ送信する（ステップＳ２０４）。
【０１００】
ここで、コンテンツ配信サーバ装置３０は、コンテンツ配信サーバ装置３０へのアクセスに対して、ディレクトリサーバ装置２０へ紹介手数料としての支払いを行う（ステップＳ２０９）。ここで、支払いは、決済サーバ装置５０を介して行う。
次に、情報処理端末装置１０は、受け取ったコンテンツに含まれる付加情報配信サーバ位置情報により識別される付加情報配信サーバ装置４０に対して、受け取ったＩＳＲＣ番号及びコンテンツ配信サーバを送信し（ステップＳ２０５）、付加情報配信サーバ装置４０は、付加情報、ここでは、一例として、ビデオクリップを情報処理端末装置１０へ送信する（ステップＳ２０６）。この際、情報処理端末装置１０は、付加情報配信サーバ装置４０に対して、ビデオクリップに対する対価を支払う（ステップＳ２０７）。ここで、対価の支払いは、決済サーバ装置５０を介して行う。
【０１０１】
また、付加情報配信サーバ装置４０は、ビデオクリップの売り上げに対して、紹介手数料としての支払いをコンテンツ配信サーバ装置３０に対して行う（ステップＳ２０８）。ここで、支払いは、決済サーバ装置５０を介して行う。
４．変形例
デジタルデータ配信システム１の変形例としてのデジタルデジタル配信システム１Ａについて説明する。
【０１０２】
デジタルデジタル配信システム１Ａは、デジタルデータ配信システム１と類似の構成を有しており、情報処理端末装置１０Ａ、ＣＤ販売サーバ装置２０Ａ、コンテンツ配信サーバ装置３０Ａ、オンラインストア装置４０Ａ及び決済サーバ装置５０Ａから構成される（図示していない）。これらの装置は、インターネット６０を介して接続されている。
【０１０３】
情報処理端末装置１０Ａ、ＣＤ販売サーバ装置２０Ａ、コンテンツ配信サーバ装置３０Ａ、オンラインストア装置４０Ａ及び決済サーバ装置５０Ａは、それぞれ、デジタルデータ配信システム１の情報処理端末装置１０、ディレクトリサーバ装置２０、コンテンツ配信サーバ装置３０、付加情報配信サーバ装置４０及び決済サーバ装置５０に相当し、同様の構成を有する。
【０１０４】
デジタルデジタル配信システム１Ａにおける動作について、図２３を用いて説明する。
情報処理端末装置１０Ａは、利用者の操作に従って、インターネット６０を介して、ＣＤの購入を示す購入情報をＣＤ販売サーバ装置２０Ａへ送信する（ステップＳ３０１）。また、情報処理端末装置１０Ａは、前記購入の対価の支払いを示す支払い情報を決済サーバ装置５０Ａへ送信する（ステップＳ３０２）。
【０１０５】
決済サーバ装置５０Ａは、前記支払い情報を受信すると、決済処理を行い、支払いが完了したことを示す確認情報をＣＤ販売サーバ装置２０Ａへ送信する（ステップＳ３０２）。
ＣＤ販売サーバ装置２０Ａは、前記購入情報を受信し（ステップＳ３０１）、前記確認情報とを受信すると（ステップＳ３０２）、ＣＤの発送手続き処理を行う。これにより、後日、利用者が指定した場所へＣＤが発送される（ステップＳ３０３）。
【０１０６】
ＣＤが利用者の手元に届くまでに、普通、数日はかかるので、ＣＤが届くまでの間、利用者は、次に示すようにして、購入したＣＤに記録されている音楽情報を利用することができる。
情報処理端末装置１０Ａは、購入情報の送信及び支払い情報の送信を完了すると、利用者の操作に従って、ＣＤに記録されている音楽情報を示す曲番号を、インターネット６０を介して、ＣＤ販売サーバ装置２０Ａへ送信する（ステップＳ３０４）。
【０１０７】
ＣＤ販売サーバ装置２０Ａは、あらかじめ販売したＣＤに記録されているＴＯＣ情報を記憶している。ＣＤ販売サーバ装置２０Ａは、曲番号を受信すると（ステップＳ３０４）、ディレクトリサーバ装置２０と同様にして、ＴＯＣ情報と、メディアＩＤ参照表と、配信サーバ参照表と、ＩＳＲＣ参照表とを用いて、受信した曲番号が示す音楽情報を識別するＩＳＲＣ番号と、コンテンツ配信サーバ装置を示す配信サーバ位置情報と、ＣＤ販売サーバ装置を示すディレクトリサーバ名とを取得し、取得したＩＳＲＣ番号と、配信サーバ位置情報と、ディレクトリサーバ名とを情報処理端末装置１０Ａへ送信する（ステップＳ３０５）。
【０１０８】
情報処理端末装置１０Ａは、ＩＳＲＣ番号と、配信サーバ位置情報と、ディレクトリサーバ名とを受信し（ステップＳ３０５）、受信した配信サーバ位置情報により示されるコンテンツ配信サーバ装置３０Ａに対して、ＩＳＲＣ番号とディレクトリサーバ名とを送信する（ステップＳ３０６）。
コンテンツ配信サーバ装置３０Ａは、ＩＳＲＣ番号とディレクトリサーバ名とを受信し（ステップＳ３０６）、ＩＳＲＣ番号に対応するコンテンツと復号化鍵とを取得し、取得したコンテンツと復号化鍵とを情報処理端末装置１０Ａへ送信する（ステップＳ３０７）。
【０１０９】
情報処理端末装置１０Ａは、コンテンツと復号化鍵とを受信し（ステップＳ３０７）、受信した復号化鍵を用いて、受信したコンテンツを再生する。
このとき、コンテンツ配信サーバ装置３０Ａは、コンテンツ配信に対する対価の支払いをＣＤ販売サーバ装置２０Ａに対して要求し、ＣＤ販売サーバ装置２０Ａは、要求に対応する支払いを行う。具体的には、コンテンツ配信サーバ装置３０Ａは、決済サーバ装置５０に対して、前記要求を示す要求情報を送信する。決済サーバ装置５０は、前記要求情報を受信し、前記要求情報に基づいて、ＣＤ販売サーバ装置２０Ａからコンテンツ配信サーバ装置３０Ａへの前記対価の支払いの決済処理を行う（ステップＳ３１１）。
【０１１０】
情報処理端末装置１０Ａは、受信したコンテンツからオンラインストア装置、〜これは、デジタルデータ配信システム１では、付加情報配信サーバ装置４０に相当する〜、を示す付加情報配信サーバ位置情報を取得し、取得した付加情報配信サーバ位置情報により示されるオンラインストア装置４０Ａに対して、ＩＳＲＣ番号とコンテンツ配信サーバ名とを送信する（ステップＳ３０８）。
【０１１１】
また、情報処理端末装置１０Ａは、ビデオクリップの購入の対価の支払いを示す支払い情報を決済サーバ装置５０Ａへ送信する（ステップＳ３１２）。
決済サーバ装置５０Ａは、前記支払い情報を受信すると、決済処理を行い、支払いが完了したことを示す確認情報をオンラインストア装置４０Ａへ送信する（ステップＳ３１２）。
【０１１２】
オンラインストア装置４０Ａは、ＩＳＲＣ番号とコンテンツ配信サーバ名とを受信し（ステップＳ３０８）、前記確認情報とを受信する（ステップＳ３１２）。オンラインストア装置４０Ａは、ＩＳＲＣ番号に対応付けて、ビデオクリップを予め記憶しており、受信したＩＳＲＣ番号に対応するビデオクリップを取得し、取得したビデオクリップを付加情報として、情報処理端末装置１０Ａへ送信する（ステップＳ３０９）。
【０１１３】
情報処理端末装置１０Ａは、ビデオクリップを受信し（ステップＳ３０９）、受信したビデオクリップを再生する。
このとき、オンラインストア装置４０Ａは、ビデオクリップの売り上げに対応した支払いをコンテンツ配信サーバ装置３０Ａに対して行う。具体的には、オンラインストア装置４０Ａは、決済サーバ装置５０に対して、前記支払いを示す支払い情報を送信する。決済サーバ装置５０は、前記支払い情報を受信し、前記支払い情報に基づいて、オンラインストア装置４０Ａからコンテンツ配信サーバ装置３０Ａへの前記支払いの決済処理を行う（ステップＳ３１０）。
【０１１４】
５．まとめ
以上説明したように、情報処理端末は、記録メディアから記録メディア固有の情報を読み出し、ユーザからの入力を受け付け、各構成要素からの結果をユーザに表示し、前記記録メディアから情報を読み取り、前記情報処理端末に固有の端末ＩＤ、前記情報処理端末の位置を示す端末位置情報を記録しており、各種情報を外部へ送信し、外部から情報を受信し、コンテンツを記録し、記録されたコンテンツの再生を行い、記録されたコンテンツから情報を読み取る。また、記録メディアからデータを読み取り、前記情報処理端末であらかじめ決められた形式に変換を行う。
【０１１５】
また、記録メディアには、情報処理端末が変換したときと同様のデータが含まれるコンテンツが記録されている。
また、ディレクトリサーバは、記録メディアの情報を元にコンテンツを配信するコンテンツ配信サーバを決定する。ディレクトリサーバは、情報を受信し、検索に必要とされるデータベースを保持し、受信した情報をもとにデータベースにアクセスし、検索を行い、検索結果を外部へ送信する。
【０１１６】
また、コンテンツ配信サーバは、コンテンツの配信を行う。コンテンツ配信サーバは、外部からの情報を受信し、検索に必要とされるデータベースと、配信する暗号化されたコンテンツとコンテンツを復号するために復号化鍵とを保持しており、受信した情報をもとにデータベースにアクセスして検索を行ってコンテンツを決定し、決定したコンテンツを取得し、取得したコンテンツを配信先に送信し、配信したコンテンツに関する情報をデータベースとして記憶する。
【０１１７】
また、付加情報配信サーバは、コンテンツに関する付加情報を配信する。付加情報配信サーバは、外部から情報を受信し、検索に必要とされるデータベースと、配信する付加情報とを保持しており、受信した情報をもとにデータベースにアクセスして検索を行って付加情報を決定し、付加情報を取得し、取得した付加情報を配信先に送信し、送信した付加情報に関する情報をデータベースとして記憶する。
【０１１８】
また、デジタルデータ配信システムは、前記情報処理端末と、前記ディレクトリサーバと、前記コンテンツ配信サーバと、前記付加情報配信サーバのうちのいずれか、もしくは全部から構成される。これらは、配信網を介して相互に接続されている。
６．その他の変形例
なお、本発明を上記の実施の形態に基づいて説明してきたが、本発明は、上記の実施の形態に限定されないのはもちろんである。以下のような場合も本発明に含まれる。
【０１１９】
（１）情報処理端末装置は、ＰＣであるとしているが、同様の構成を備え、ネットワークに接続しているデジタル放送受信装置、ＤＶＤ再生装置、セットトップボックス、コンポーネントシステムなどであるとしてもよい。
（２）ＣＤ販売サーバ装置２０Ａは、ディレクトリサーバ装置２０が保持するメディアＩＤ参照表を持たないとしてもよい。このとき、メディアＩＤ以外の他の情報によりＣＤが管理されていればよい。この情報は、ＣＤ販売サーバ装置２０Ａ内において、ＣＤを唯一に特定できるものであればよい。
【０１２０】
（３）デジタルデータ配信システム１を構成する構成要素は、インターネット６０で接続されているとしているが、これはデータ放送システム、電話回線、ケーブルＴＶシステムなどによって接続されているとしてもよい。
（４）ＣＤから取得する情報をＴＯＣ情報としているが、ＣＤタイトルごとに固有のものであれば、例えば、ＩＤ番号などであってもよい。
【０１２１】
（５）上記の実施の形態では、ＣＤは、音楽タイトルの記録された記録メディアはＣＤであるとしているが、ＤＶＤ−Ａｕｄｉｏ、ＭＤ（Ｍｉｎｉ  Ｄｉｓｃ）などであってもよい。
また、本発明の記録メディアに記録されたデータは曲データとしているが、これはビデオ、静止画像、電子マガジンなどでもよい。
【０１２２】
また、上記の実施の形態では、コンテンツの復号化鍵をコンテンツ配信サーバ装置から取得するとしているが、あらかじめ復号化鍵がＣＤに記録されているとしてもよい。
（６）コンテンツ配信サーバ装置３０から提供されるコンテンツのＣｏｄｅｃは、ＡＡＣ（Ａｄｖａｎｃｅｄ  Ａｕｄｉｏ  Ｃｏｄｉｎｇ）であるが、ＭＰ３などであってもよい。
【０１２３】
（７）ＣＤ販売サーバ装置２０Ａは、コンテンツ配信サーバ３０Ａとは独立した経営主体者により運営されている。ＣＤ販売サーバ装置２０Ａの経営主体者は、複数のコンテンツ配信サーバ装置の経営主体者と契約しており、ＣＤを持つユーザに対して、そのＣＤをＰＣソフトでリッピングせずとも、コンテンツ配信サーバ装置からリツピングコンテンツを獲得できるようにしている。また、ＣＤ  のボーナストラックとなるコンテンツを獲得できるコンテンツ配信サーバ装置を情報処理端末装置１０Ａに対して紹介する。
【０１２４】
（８）コンテンツ配信サーバ装置３０Ａは、利用者がコンテンツをダウンロードしたときに、利用したＣＤ販売サーバ装置を示す識別名を記録している。この記録に基づいて、コンテンツ配信サーバ装置３０Ａは、ＣＤ販売サーバ装置２０Ａから対価を得る。この対価は、コンテンツのダウンロード数に応じたものとしてもよい。また、１ヶ月単位など一定期間で一定額を支払うような契約形態であってもよい。
【０１２５】
（９）オンラインストア装置４０Ａは、ＣＤ販売サーバ装置２０Ａやコンテンツ配信サーバ装置３０Ａとは独立して運営される。利用者は、情報処理端末装置１０Ａにより、コンテンツ配信サーバ装置３０Ａから得たコンテンツ内の付加情報配信サーバ位置情報をもとにオンラインストア装置４０Ａにアクセスし、付加情報をダウンロード購入する。利用者が付加情報をダウンロード購入したとき、コンテンツのダウンロード先であったコンテンツ配信サーバ名がオンラインストア装置４０Ａのデータベースに登録され、ダウンロード購入による売上げ、又は利益に応じてコンテンツ配信サーバ運営側に対価が支払われる。コンテンツ配信サーバ運営側が得る対価は、ダウンロード購入による売上げ、又は利益に対するものでなく、１ヶ月単位など一定期間で一定額を支払うような契約形態であってもよい。
【０１２６】
（１０）上記の実施の形態では、決済サーバ装置を介して、購入に対する対価の支払いを行うしているが、支払い側の装置と受け取り側の装置との間で直接対価の支払いを行うとしてもよい。
（１１）上記の実施の形態において、利用者の指示により、音楽情報を変換するか、又はコンテンツ配信装置から取得するかを選択するにようにしているが、変換に要する所要時間、及びインターネット６０を介して取得するために要する所要時間のうち、短い方に相当する指示を選択するようにしてもよい。ここで、これらの所要時間は、複数のコンテンツ配信サーバ装置からコンテンツの取得に要する所要時間を予め測定して、記録しておく。また、複数の種類のリッピングソフトウェアにより変換するために要する時間を予め測定して、記録しておく。これらの記録された所要時間を用いるとしてもよい。
【０１２７】
以上説明したように、情報処理端末装置１０は、３個の方法でリッピングコンテンツを得ることができる。
（Ａ）リッピングコンテンツが既に記録されている記録媒体から、リッピングコンテンツを取得する。
（Ｂ）リッピングコンテンツをコンテンツ配信サーバ装置から取得する。
【０１２８】
（Ｃ）音楽用ＣＤの曲データを変換部１０５によりリッピングする。
これらの方法毎に優先度を予め設定しておき、情報処理端末装置１０は、設定された優先度に応じて、方法を選択するとしてもよい。
また、利用者が、これらの優先度をネットワーク環境に応じて決定することができるようにしてもよい。例えば、（Ｃ）の方法が、（Ｂ）の方法に比べて速度で勝る場合、利用者は、（Ｃ）の優先度をあげる設定を行うことができるようにしてもよい。
【０１２９】
（１２）コンテンツ配信サーバ装置、及び付加情報配信サーバ装置は、情報処理端末装置１０に対して、インターネット６０経由でしか取得できないボーナス情報、利用ポイントを提供するとしてもよい。情報処理端末装置１０の利用者は、獲得した前記利用ポイントを用いて、次にＣＤを購入する際に購入代金の割引などの特典を得ることができるとしてもよい。
【０１３０】
（１３）以上説明したように、上記の実施の形態の情報処理端末装置によれば、ＣＤ毎に固有の情報を読取り、この情報をディレクトリサーバ装置に送り、ＣＤリッピングソフトウェアを用いなくとも、コンテンツ配信サーバ装置よりコンテンツを得ることができる。またコンテンツ配信サーバ装置から得たコンテンツに含まれた情報により、付加情報配信サーバ装置にアクセスし、コンテンツに関する付加情報を得ることができる。
【０１３１】
また、上記の実施の形態のディレクトリサーバ装置によれば、受信したＣＤ毎の固有の情報をもとに、コンテンツの配信サービスを行っているＷｅｂサイトの検索を行うことができる。
また、上記の実施の形態のコンテンツ配信サーバ装置によれば、ディレクトリサーバ装置からコンテンツの配信を要求している情報処理端末装置を知らされ、情報処理端末装置に対して要求されたコンテンツの配信を行う。そして、コンテンツ配信サーバ装置では、コンテンツを配信を行った配信先の個人情報、経由したディレクトリサーバ装置名、配信したコンテンツ名などをデータベースにより管理することができる。
【０１３２】
また、上記の実施の形態の付加情報配信サーバ装置によれば、アクセスのあった情報処理端末装置が要求した付加情報の配信を行う。そして、付加情報配信サーバ装置は、付加情報を配信した配信先の個人情報、コンテンツの配信元であるコンテンツ配信サーバ名、配信した付加情報名をデータベースにより管理することができる。
【０１３３】
また、上記の実施の形態の記録媒体によれば、通常の曲データとそれをリッピングした後の曲データを含むコンテンツを記録することで、ＣＤから曲データをリッピングする手間をはぶくことができる。
以上のような記録媒体、情報処理端末装置、ディレクトリサーバ装置、コンテンツ配信サーバ装置、付加情報配信サーバ装置から構成されるデジタルデータ配信システムによれば、利用者は、情報処理端末装置を用いてＣＤから情報を読取り、ＣＤ内の音楽トラックをソフトウェアでリッピングすることなく、リッピングしたときと同じか、又はさらなる情報が加えられたコンテンツをＣＤ若しくはネットワーク経由で得ることができる。
【０１３４】
コンテンツ配信サーバ装置は、用いられたディレクトリサーバ装置名をデータベースにより管理している。このためディレクトリサーバ運営側は、コンテンツ配信サーバで管理されているアクセス数に応じた対価を得ることができる。
また、コンテンツ配信サーバ装置から情報処理端末装置に配信されるコンテンツには、付加情報へのアクセス先などの情報を加えることもでき、ユーザはこのアクセス先に希望する付加情報のある場合は、これをダウンロード購入できる。
【０１３５】
付加情報配信サーバ装置は、このダウンロード購入を管理するためのデータベースに、アクセス先が記録されていたコンテンツの配信元を記録しており、配信元となったコンテンツ配信サーバ運営側は、このアクセス数に応じた対価を得ることができる。
また、上記の実施の形態のデジタルデータ配信システムによれば、ＣＤ  を販売するＷｅｂサイトにおいてもディレクトリサーバ同様のサービスを行うことができる。
【０１３６】
（１４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、半導体メモリなど、に記録したものとしてもよい。また、これらの記録媒体に記録されている前記コンピュータプログラム又は前記デジタル信号であるとしてもよい。
【０１３７】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１３８】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１５）上記実施の形態及び上記変形例をそれぞれ組み合わせるとしてもよい。
【０１３９】
（産業上の利用の可能性）
本発明は、ネットワークを介して、デジタル著作情報を取得する場合に利用できる。特に、主として再生専用装置（例えば、ＣＤプレーヤなど）により再生することを目的とした形式により音楽情報が記録されているＣＤを購入した利用者が、前記音楽情報と同じ内容の音楽であって、Ｃｏｄｅｃにより圧縮符号化された形式の音楽情報を取得する場合に、利用できる。Ｃｏｄｅｃにより圧縮符号化された形式の音楽情報は、ＰＣやＰＤなどの装置により再生できる。
【図面の簡単な説明】
【図１】
図１は、デジタルデジタル配信システム１の構成を示すブロック図である。
【図２】
図２は、情報処理端末装置１０の構成を示すブロック図である。
【図３】
図３は、ＣＤのＣＤ−ＤＡ用の領域に記録されている情報の構成を示すデータ構造図である。
【図４】
図４は、ＣＤのＣＤ−ＲＯＭ用の領域に記録されている情報の構成を示すデータ構造図である。
【図５】
図５は、ディレクトリサーバ装置２０の構成を示すブロック図である。
【図６】
図６は、メディアＩＤ参照表２３０の構成を示すデータ構造図である。
【図７】
図７は、配信サーバ参照表２４０の構成を示すデータ構造図である。
【図８】
図８は、ＩＳＲＣ参照表２５０の構成を示すデータ構造図である。
【図９】
図９は、コンテンツ配信サーバ装置３０の構成を示すブロック図である。
【図１０】
図１０は、コンテンツ格納先参照表３３０の構成を示すデータ構造図である。
【図１１】
図１１は、顧客情報管理表３４０の構成を示すデータ構造図である。
【図１２】
図１２は、ダウンロードコンテンツ管理表３５０の構成を示すデータ構造図である。
【図１３】
図１３は、付加情報配信サーバ装置４０の構成を示すブロック図である。
【図１４】
図１４は、付加情報格納先参照表４３０の構成を示すデータ構造図である。
【図１５】
図１５は、顧客情報管理表４４０の構成を示すデータ構造図である。
【図１６】
図１６は、ダウンロード付加情報管理表４５０の構成を示すデータ構造図である。
【図１７】
図１７は、決済サーバ装置５０の構成を示すブロック図である。
【図１８】
図１８は、デジタルデータ配信システム１の動作を示すフローチャートである。図１９に続く。
【図１９】
図１９は、デジタルデータ配信システム１の動作を示すフローチャートである。図２０に続く。
【図２０】
図２０は、デジタルデータ配信システム１の動作を示すフローチャートである。図２１に続く。
【図２１】
図２１は、デジタルデータ配信システム１の動作を示すフローチャートである。図２０から続く。
【図２２】
図２２は、デジタルデータ配信システム１の動作概要を示す概念図である。
【図２３】
図２３は、デジタルデータ配信システム１Ａの動作概要を示す概念図である。
【図１】
2004522199.tif 000003
【図２】
2004522199.tif 000004
【図３】
2004522199.tif 000005
【図４】
2004522199.tif 000006
【図５】
2004522199.tif 000007
【図６】
2004522199.tif 000008
【図７】
2004522199.tif 000009
【図８】
2004522199.tif 000010
【図９】
2004522199.tif 000011
【図１０】
2004522199.tif 000012
【図１１】
2004522199.tif 000013
【図１２】
2004522199.tif 000014
【図１３】
2004522199.tif 000015
【図１４】
2004522199.tif 000016
【図１５】
2004522199.tif 000017
【図１６】
2004522199.tif 000018
【図１７】
2004522199.tif 000019
【図１８】
2004522199.tif 000020
【図１９】
2004522199.tif 000021
【図２０】
2004522199.tif 000022
【図２１】
2004522199.tif 000023
【図２２】
2004522199.tif 000024
【図２３】
2004522199.tif 000025
【国際公開パンフレット】
2004522199.tif 000026
2004522199.tif 000027
2004522199.tif 000028
2004522199.tif 000029
2004522199.tif 000030
2004522199.tif 000031
2004522199.tif 000032
2004522199.tif 000033
2004522199.tif 000034
2004522199.tif 000035
2004522199.tif 000036
2004522199.tif 000037
2004522199.tif 000038
2004522199.tif 000039
2004522199.tif 000040
2004522199.tif 000041
2004522199.tif 000042
2004522199.tif 000043
2004522199.tif 000044
2004522199.tif 000045
2004522199.tif 000046
2004522199.tif 000047
2004522199.tif 000048
2004522199.tif 000049
2004522199.tif 000050
2004522199.tif 000051
2004522199.tif 000052
2004522199.tif 000053
2004522199.tif 000054
2004522199.tif 000055
2004522199.tif 000056
2004522199.tif 000057
2004522199.tif 000058
2004522199.tif 000059
2004522199.tif 000060
2004522199.tif 000061
2004522199.tif 000062
2004522199.tif 000063
2004522199.tif 000064
2004522199.tif 000065
2004522199.tif 000066
2004522199.tif 000067
2004522199.tif 000068
2004522199.tif 000069
2004522199.tif 000070
2004522199.tif 000071
2004522199.tif 000072
2004522199.tif 000073
2004522199.tif 000074
2004522199.tif 000075
2004522199.tif 000076
2004522199.tif 000077
2004522199.tif 000078
2004522199.tif 000079
2004522199.tif 000080
2004522199.tif 000081
2004522199.tif 000082
2004522199.tif 000083
2004522199.tif 000084
2004522199.tif 000085
2004522199.tif 000086
2004522199.tif 000087
2004522199.tif 000088
2004522199.tif 000089
2004522199.tif 000090
2004522199.tif 000091
2004522199.tif 000092
2004522199.tif 000093
2004522199.tif 000094
2004522199.tif 000095
2004522199.tif 000096
2004522199.tif 000097
2004522199.tif 000098
2004522199.tif 000099
2004522199.tif 000100
2004522199.tif 000101
2004522199.tif 000102
2004522199.tif 000103
2004522199.tif 000104
2004522199.tif 000105
2004522199.tif 000106
2004522199.tif 000107
2004522199.tif 000108
2004522199.tif 000109
2004522199.tif 000110
2004522199.tif 000111
2004522199.tif 000112
2004522199.tif 000113
2004522199.tif 000114
2004522199.tif 000115
2004522199.tif 000116
2004522199.tif 000117
2004522199.tif 000118
2004522199.tif 000119
2004522199.tif 000120
2004522199.tif 000121
2004522199.tif 000122
2004522199.tif 000123
2004522199.tif 000124
2004522199.tif 000125
2004522199.tif 000126
2004522199.tif 000127
2004522199.tif 000128
2004522199.tif 000129
2004522199.tif 000130
2004522199.tif 000131
2004522199.tif 000132
2004522199.tif 000133
2004522199.tif 000134
2004522199.tif 000135
【国際公開パンフレット（コレクトバージョン）】
2004522199.tif 000136
【国際調査報告】
2004522199.tif 000137
2004522199.tif 000138